(57)【要約】【課題】宅側装置がスリープ動作を行なうことが可能な通信システムにおいて、宅側装置への通信信号のマルチキャストが可能となるまでの遅延時間を低減することが可能な通信システム、宅側装置および通信制御方法を提供する。【解決手段】通信システム３０１は、各宅側装置２０２の起床期間の各々の一部または全部が重複する重複期間が設けられるように各宅側装置２０２を制御するためのスリープ制御部３６と、局側装置１０１から宅側装置２０２へマルチキャストすべき通信信号が発生すると、起床指示が重複期間において各宅側装置２０２に到着するように、起床指示をブロードキャストするための起床制御部３６とを備える。局側装置１０１は、起床制御部３６によって起床指示がブロードキャストされた後、宅側装置２０２へ通信信号をマルチキャストする。【選択図】図５
2013123103.tif 000002
【特許請求の範囲】
【請求項１】
複数の宅側装置と、各前記宅側装置と通信信号を送受信するための局側装置とを備える通信システムであって、
前記宅側装置は、スリープ期間および起床期間を繰り返す周期的スリープ動作を行ない、前記起床期間において起床指示を受けると前記周期的スリープ動作を停止し、
前記起床期間は、前記宅側装置が、前記局側装置から送信される通信信号の受信動作および前記局側装置へ前記通信信号を送信する送信動作を行う期間であり、
前記スリープ期間として、前記宅側装置が、前記受信動作を停止する受信スリープ状態となる期間があり、
前記通信システムは、さらに、
前記局側装置からブロードキャストまたはマルチキャストされた前記通信信号を前記各宅側装置が各々の所定の起床期間において受信できるように、前記各宅側装置を制御するためのスリープ制御部と、
前記局側装置から前記宅側装置へマルチキャストすべき前記通信信号が発生すると、前記各宅側装置が前記起床指示を前記所定の起床期間において受信するように、前記起床指示をブロードキャストするための起床制御部とを備え、
前記局側装置は、前記起床制御部によって前記起床指示がブロードキャストされた後、前記宅側装置へ前記通信信号をマルチキャストする、通信システム。
【請求項２】
前記スリープ制御部は、前記各宅側装置の前記所定の起床期間に対応させた前記局側装置の送信期間が、前記所定の起床期間の各々の一部または全部について前記局側装置において重複することとなる重複期間を設け、
前記起床制御部は、前記重複期間において前記起床指示をブロードキャストする、請求項１に記載の通信システム。
【請求項３】
前記通信システムは、さらに、
マルチキャストすべき前記通信信号の送信先となる可能性の有る１または複数の宅側装置からなる第１のグループ、および前記可能性の無い１または複数の宅側装置からなる第２のグループを形成するための分類部を備え、
前記スリープ制御部は、前記第１のグループにおいて共通の起床期間が設けられ、前記第２のグループにおいて前記共通の起床期間と重複しない起床期間が設けられるように前記各宅側装置を制御し、
前記起床制御部は、前記各宅側装置が前記起床指示を前記共通の起床期間において受信するように前記起床指示をブロードキャストする、請求項１または請求項２に記載の通信システム。
【請求項４】
前記起床制御部は、マルチキャストすべき前記通信信号の宛先に前記周期的スリープ動作中の前記宅側装置が含まれる場合に、前記起床指示をブロードキャストする、請求項１から請求項３のいずれか１項に記載の通信システム。
【請求項５】
前記起床制御部は、マルチキャストすべき前記通信信号の宛先において、前記周期的スリープ動作中の前記宅側装置の数が所定値以上である場合に、前記起床指示をブロードキャストし、前記周期的スリープ動作中の前記宅側装置の数が前記所定値未満である場合に、前記周期的スリープ動作中の前記宅側装置へ前記起床指示をユニキャストする、請求項１から請求項３のいずれか１項に記載の通信システム。
【請求項６】
前記スリープ期間として、さらに、前記局側装置から送信される通信信号の受信動作は停止せず、前記局側装置へ前記通信信号を送信する送信動作を停止する送信スリープ状態となる期間があり、
前記スリープ制御部は、前記宅側装置へマルチキャストすべき前記通信信号が継続的に発生する場合には、前記起床制御部によって前記起床指示がブロードキャストされた後、前記周期的スリープ動作を再開した前記宅側装置が前記スリープ期間において前記送信スリープ状態となるように前記宅側装置を制御する、請求項１から請求項５のいずれか１項に記載の通信システム。
【請求項７】
前記スリープ期間として、さらに、前記宅側装置が、前記局側装置から送信される通信信号の受信動作および前記局側装置へ前記通信信号を送信する送信動作を停止する送受信スリープ状態となる期間と、前記局側装置から送信される通信信号の受信動作は停止せず、前記局側装置へ前記通信信号を送信する送信動作を停止する送信スリープ状態となる期間とがあり、
前記スリープ制御部は、前記宅側装置へマルチキャストすべき前記通信信号が継続的に発生する場合には、前記起床制御部によって前記起床指示がブロードキャストされた後、前記周期的スリープ動作を再開した前記宅側装置のうち、マルチキャストすべき前記通信信号の宛先の前記宅側装置に対しては前記スリープ期間において前記送信スリープ状態となるように制御し、マルチキャストすべき前記通信信号の宛先でない前記宅側装置に対しては前記スリープ期間において前記送受信スリープ状態となるように制御する、請求項１から請求項５のいずれか１項に記載の通信システム。
【請求項８】
前記スリープ制御部は、前記宅側装置へマルチキャストすべき前記通信信号が継続的に発生する場合には、前記起床制御部によって前記起床指示がブロードキャストされた後、マルチキャストすべき前記通信信号の宛先の前記宅側装置に対しては前記周期的スリープ動作の再開を禁止し、マルチキャストすべき前記通信信号の宛先でない前記宅側装置に対しては前記周期的スリープ動作の再開を許容する、請求項１から請求項５のいずれか１項に記載の通信システム。
【請求項９】
局側装置と通信信号を送受信するための宅側装置であって、
前記局側装置から送信される通信信号を受信するための受信部と、
前記局側装置へ通信信号を送信するための送信部とを備え、
前記宅側装置は、スリープ期間および起床期間を繰り返す周期的スリープ動作を行ない、前記起床期間において起床指示を受けると前記周期的スリープ動作を停止し、
前記起床期間は、前記宅側装置が、前記局側装置から送信される通信信号の受信動作および前記局側装置へ前記通信信号を送信する送信動作を行う期間であり、
前記スリープ期間として、前記宅側装置が、前記受信動作および前記送信動作を停止する送受信スリープ状態となる期間と、前記受信動作は停止せず、前記送信動作を停止する送信スリープ状態となる期間とがあり、
前記宅側装置は、さらに、
スリープ指示を受けて、前記周期的スリープ動作を前記宅側装置に行なわせるためのスリープ制御部を備え、
前記スリープ制御部は、前記スリープ指示を受けたタイミングから遡って所定時間以内に、前記局側装置によってマルチキャストされた自己の宅側装置を宛先に含む前記通信信号が自己の宅側装置に到着していた場合には、前記スリープ期間において前記送信スリープ状態となるように前記宅側装置を制御する、宅側装置。
【請求項１０】
複数の宅側装置と、各前記宅側装置と通信信号を送受信するための局側装置とを備える通信システムにおける通信制御方法であって、
前記宅側装置は、スリープ期間および起床期間を繰り返す周期的スリープ動作を行ない、前記起床期間において起床指示を受けると前記周期的スリープ動作を停止し、
前記起床期間は、前記宅側装置が、前記局側装置から送信される通信信号の受信動作および前記局側装置へ前記通信信号を送信する送信動作を行う期間であり、
前記スリープ期間として、前記宅側装置が、前記受信動作を停止する受信スリープ状態となる期間があり、
前記局側装置からブロードキャストまたはマルチキャストされた前記通信信号を前記各宅側装置が各々の所定の起床期間において受信できるように、前記各宅側装置を制御するステップと、
前記局側装置から前記宅側装置へマルチキャストすべき前記通信信号が発生すると、前記各宅側装置が前記起床指示を前記所定の起床期間において受信するように、前記起床指示をブロードキャストするステップと、
前記局側装置が、前記起床指示がブロードキャストされた後、前記宅側装置へ前記通信信号をマルチキャストするステップとを含む、通信制御方法。
【請求項１１】
局側装置と通信信号を送受信するための宅側装置における通信制御方法であって、
前記宅側装置は、スリープ期間および起床期間を繰り返す周期的スリープ動作を行ない、前記起床期間において起床指示を受けると前記周期的スリープ動作を停止し、
前記起床期間は、前記宅側装置が、前記局側装置から送信される通信信号の受信動作および前記局側装置へ前記通信信号を送信する送信動作を行う期間であり、
前記スリープ期間として、前記宅側装置が、前記受信動作および前記送信動作を停止する送受信スリープ状態となる期間と、前記受信動作は停止せず、前記送信動作を停止する送信スリープ状態となる期間とがあり、
スリープ指示を受けて、前記周期的スリープ動作を前記宅側装置に行なわせるステップと、
前記スリープ指示を受けたタイミングから遡って所定時間以内に、前記局側装置によってマルチキャストされた自己の宅側装置を宛先に含む前記通信信号が自己の宅側装置に到着していた場合には、前記スリープ期間において前記送信スリープ状態となるように前記宅側装置を制御するステップとを含む、通信制御方法。
【発明の詳細な説明】
【技術分野】
【０００１】
本発明は、通信システム、宅側装置および通信制御方法に関し、特に、冗長化された通信経路を介して通信信号を受信可能な通信システム、宅側装置および通信制御方法に関する。
【背景技術】
【０００２】
近年、インターネットが広く普及しており、利用者は世界各地で運営されているサイトの様々な情報にアクセスし、その情報を入手することが可能である。これに伴って、ＡＤＳＬ（Asymmetric Digital Subscriber Line）およびＦＴＴＨ（Fiber To The Home）等のブロードバンドアクセスが可能な装置も急速に普及してきている。
【０００３】
ＩＥＥＥ  Ｓｔｄ  ８０２．３ａｈ（登録商標）−２００４（非特許文献１）には、複数の宅側装置（ＯＮＵ：Optical Network Unit）が光通信回線を共有して局側装置（ＯＬＴ：Optical Line Terminal）とのデータ伝送を行なう媒体共有形通信である受動的光ネットワーク（ＰＯＮ：Passive Optical Network）の１つの方式が開示されている。すなわち、ＰＯＮを通過するユーザ情報およびＰＯＮを管理運用するための制御情報を含め、すべての情報がイーサネット（登録商標）フレームの形式で通信されるＥＰＯＮ（Ethernet（登録商標） PON）と、ＥＰＯＮのアクセス制御プロトコル（ＭＰＣＰ（Multi-Point Control Protocol））およびＯＡＭ（Operations Administration and Maintenance）プロトコルとが規定されている。局側装置と宅側装置との間でＭＰＣＰフレームをやりとりすることによって、宅側装置の加入、離脱、および上りアクセス多重制御などが行なわれる。また、非特許文献１では、ＭＰＣＰメッセージによる、新規宅側装置の登録方法、帯域割り当て要求を示すレポート、および送信指示を示すゲートについて記載されている。
【０００４】
なお、１ギガビット／秒の通信速度を実現するＥＰＯＮであるＧＥ−ＰＯＮ（Giga Bit Ethernet（登録商標） Passive Optical Network）の次世代の技術として、ＩＥＥＥ８０２．３ａｖ（登録商標）−２００９として標準化が行なわれた１０Ｇ−ＥＰＯＮすなわち通信速度が１０ギガビット／秒相当のＥＰＯＮにおいても、アクセス制御プロトコルはＭＰＣＰが前提となっている。
【０００５】
ＰＯＮの省電力化を図るための機能として、ＯＮＵが通信を行っていない場合に不要となる機能について、当該機能を実行するためのＣＰＵ（Central Processing Unit）、ＬＳＩ（Large Scale Integration）または送受信器等への電力供給を停止するスリープ機能が提案されている。
【先行技術文献】
【非特許文献】
【０００６】
【非特許文献１】IEEE Std 802.3ah（登録商標）-2004
【特許文献】
【０００７】
【特許文献１】特開２０１０−１４７８０１号公報
【発明の概要】
【発明が解決しようとする課題】
【０００８】
このような省電力機能の一例として、以下のようなＯＮＵの周期的スリープ動作が考えられる。すなわち、ＯＮＵは、局側装置からの下りフレームの受信動作および局側装置への上りフレームの送信動作を停止するスリープ状態へ遷移し、スリープ状態を継続するスリープ期間の満了後にスリープ状態から復帰して上記受信動作および送信動作を行ない、上記受信動作および送信動作を行なう起床期間の満了後に再びスリープ状態へ遷移する。また、ＯＮＵは、起床期間において局側装置から起床指示を受けると、スリープ状態へ遷移せず、上記受信動作および送信動作を継続する。
【０００９】
ＯＮＵが以上のような周期的スリープ動作を行なうＰＯＮシステムにおいて、局側装置から宅側装置へマルチキャストフレームを送信する場合、マルチキャストフレームの送信前に、周期的スリープ動作中のＯＮＵをすべて起床させる必要がある。そして、周期的スリープ動作中のＯＮＵが多数存在する場合には、各ＯＮＵを起床させるのに長時間を要し、マルチキャストフレームが送信可能となるまでの遅延時間が増大してしまう。
【００１０】
この発明は、上述の課題を解決するためになされたもので、その目的は、宅側装置がスリープ動作を行なうことが可能な通信システムにおいて、宅側装置への通信信号のマルチキャストが可能となるまでの遅延時間を低減することが可能な通信システム、宅側装置および通信制御方法を提供することである。
【課題を解決するための手段】
【００１１】
上記課題を解決するために、この発明のある局面に係わる通信システムは、複数の宅側装置と、各上記宅側装置と通信信号を送受信するための局側装置とを備える通信システムであって、上記宅側装置は、スリープ期間および起床期間を繰り返す周期的スリープ動作を行ない、上記起床期間において起床指示を受けると上記周期的スリープ動作を停止し、上記起床期間は、上記宅側装置が、上記局側装置から送信される通信信号の受信動作および上記局側装置へ上記通信信号を送信する送信動作を行う期間であり、上記スリープ期間として、上記宅側装置が、上記受信動作を停止する受信スリープ状態となる期間があり、上記通信システムは、さらに、上記局側装置からブロードキャストまたはマルチキャストされた上記通信信号を上記各宅側装置が各々の所定の起床期間において受信できるように、上記各宅側装置を制御するためのスリープ制御部と、上記局側装置から上記宅側装置へマルチキャストすべき上記通信信号が発生すると、上記各宅側装置が上記起床指示を上記所定の起床期間において受信するように、上記起床指示をブロードキャストするための起床制御部とを備え、上記局側装置は、上記起床制御部によって上記起床指示がブロードキャストされた後、上記宅側装置へ上記通信信号をマルチキャストする。
【００１２】
このような構成により、マルチキャストすべき通信信号（以下、マルチキャスト信号とも称する。）を局側装置から宅側装置へ送信する際に、局側装置内にマルチキャスト信号が滞留する時間を低減することができる。すなわち、通信システムにおいて周期的スリープ動作中の宅側装置が多数存在する場合でも、各宅側装置を短時間で起床させ、マルチキャスト信号が送信可能となるまでの遅延時間の増大を防ぐことができる。したがって、宅側装置がスリープ動作を行なうことが可能な通信システムにおいて、宅側装置への通信信号のマルチキャストが可能となるまでの遅延時間を低減することができる。
【００１３】
好ましくは、上記スリープ制御部は、上記各宅側装置の上記所定の起床期間に対応させた上記局側装置の送信期間が、上記所定の起床期間の各々の一部または全部について上記局側装置において重複することとなる重複期間を設け、上記起床制御部は、上記重複期間において上記起床指示をブロードキャストする。
【００１４】
このような構成により、各宅側装置が起床指示を受信するための期間を、適切に設けることができる。
【００１５】
好ましくは、上記通信システムは、さらに、マルチキャストすべき上記通信信号の送信先となる可能性の有る１または複数の宅側装置からなる第１のグループ、および上記可能性の無い１または複数の宅側装置からなる第２のグループを形成するための分類部を備え、上記スリープ制御部は、上記第１のグループにおいて共通の起床期間が設けられ、上記第２のグループにおいて上記共通の起床期間と重複しない起床期間が設けられるように上記各宅側装置を制御し、上記起床制御部は、上記各宅側装置が上記起床指示を上記共通の起床期間において受信するように上記起床指示をブロードキャストする。
【００１６】
このような構成により、マルチキャスト信号の送信前における起床の必要の有無によって宅側装置をグループ分けし、宅側装置を選択的に起床させることができる。これにより、宅側装置の不要な起床を防ぐことができるため、宅側装置の省電力効果を高めることができる。
【００１７】
好ましくは、上記起床制御部は、マルチキャストすべき上記通信信号の宛先に上記周期的スリープ動作中の上記宅側装置が含まれる場合に、上記起床指示をブロードキャストする。
【００１８】
このような構成により、マルチキャスト信号の宛先に周期的スリープ動作中の宅側装置が含まれていない場合における宅側装置の不要な起床を防ぐことができるため、単にマルチキャスト信号の送信前に起床指示をブロードキャストする構成と比べて、宅側装置の省電力効果を高めることができる。
【００１９】
好ましくは、上記起床制御部は、マルチキャストすべき上記通信信号の宛先において、上記周期的スリープ動作中の上記宅側装置の数が所定値以上である場合に、上記起床指示をブロードキャストし、上記周期的スリープ動作中の上記宅側装置の数が上記所定値未満である場合に、上記周期的スリープ動作中の上記宅側装置へ上記起床指示をユニキャストする。
【００２０】
このような構成により、マルチキャスト信号の宛先において周期的スリープ動作中の宅側装置の数が少ない場合において、起床指示をブロードキャストする代わりにユニキャストすることができるため、宅側装置の不要な起床を防ぎ、宅側装置の省電力効果をさらに高めることができる。
【００２１】
好ましくは、上記スリープ期間として、さらに、上記局側装置から送信される通信信号の受信動作は停止せず、上記局側装置へ上記通信信号を送信する送信動作を停止する送信スリープ状態となる期間があり、上記スリープ制御部は、上記宅側装置へマルチキャストすべき上記通信信号が継続的に発生する場合には、上記起床制御部によって上記起床指示がブロードキャストされた後、上記周期的スリープ動作を再開した上記宅側装置が上記スリープ期間において上記送信スリープ状態となるように上記宅側装置を制御する。
【００２２】
このように、マルチキャスト信号の発生状況に基づいてスリープ状態における宅側装置の受信動作を継続させる構成により、起床させる必要のない宅側装置の不要な起床がマルチキャスト信号発生のたびに生じることを防ぐことができるため、宅側装置の省電力効果をさらに高めることができる。
【００２３】
より好ましくは、上記スリープ期間として、さらに、上記宅側装置が、上記局側装置から送信される通信信号の受信動作および上記局側装置へ上記通信信号を送信する送信動作を停止する送受信スリープ状態となる期間と、上記局側装置から送信される通信信号の受信動作は停止せず、上記局側装置へ上記通信信号を送信する送信動作を停止する送信スリープ状態となる期間とがあり、上記スリープ制御部は、上記宅側装置へマルチキャストすべき上記通信信号が継続的に発生する場合には、上記起床制御部によって上記起床指示がブロードキャストされた後、上記周期的スリープ動作を再開した上記宅側装置のうち、マルチキャストすべき上記通信信号の宛先の上記宅側装置に対しては上記スリープ期間において上記送信スリープ状態となるように制御し、マルチキャストすべき上記通信信号の宛先でない上記宅側装置に対しては上記スリープ期間において上記送受信スリープ状態となるように制御する。
【００２４】
このように、マルチキャスト信号の宛先であるか否かに応じてスリープ状態における宅側装置の受信動作の継続の有無を設定する構成により、単に各宅側装置のスリープ状態における受信動作を継続させる構成と比べて、宅側装置の省電力効果をさらに高めることができる。
【００２５】
好ましくは、上記スリープ制御部は、上記宅側装置へマルチキャストすべき上記通信信号が継続的に発生する場合には、上記起床制御部によって上記起床指示がブロードキャストされた後、マルチキャストすべき上記通信信号の宛先の上記宅側装置に対しては上記周期的スリープ動作の再開を禁止し、マルチキャストすべき上記通信信号の宛先でない上記宅側装置に対しては上記周期的スリープ動作の再開を許容する。
【００２６】
このように、マルチキャスト信号の宛先であるか否かに応じて宅側装置の周期的スリープ動作の有無を設定する構成により、宅側装置の省電力効果をさらに高めることができる。
【００２７】
上記課題を解決するために、この発明のある局面に係わる宅側装置は、局側装置と通信信号を送受信するための宅側装置であって、上記局側装置から送信される通信信号を受信するための受信部と、上記局側装置へ通信信号を送信するための送信部とを備え、上記宅側装置は、スリープ期間および起床期間を繰り返す周期的スリープ動作を行ない、上記起床期間において起床指示を受けると上記周期的スリープ動作を停止し、上記起床期間は、上記宅側装置が、上記局側装置から送信される通信信号の受信動作および上記局側装置へ上記通信信号を送信する送信動作を行う期間であり、上記スリープ期間として、上記宅側装置が、上記受信動作および上記送信動作を停止する送受信スリープ状態となる期間と、上記受信動作は停止せず、上記送信動作を停止する送信スリープ状態となる期間とがあり、上記宅側装置は、さらに、スリープ指示を受けて、上記周期的スリープ動作を上記宅側装置に行なわせるためのスリープ制御部を備え、上記スリープ制御部は、上記スリープ指示を受けたタイミングから遡って所定時間以内に、上記局側装置によってマルチキャストされた自己の宅側装置を宛先に含む上記通信信号が自己の宅側装置に到着していた場合には、上記スリープ期間において上記送信スリープ状態となるように上記宅側装置を制御する。
【００２８】
このように、マルチキャスト信号の受信状況に応じてスリープ状態における宅側装置の受信動作の継続の有無を設定する構成により、局側装置において起床指示のブロードキャスト等を行なうことなく、宅側装置においてマルチキャスト信号を受信するとともに、省電力効果を高めることができる。すなわち、宅側装置がスリープ動作を行なうことが可能な通信システムにおいて、宅側装置への通信信号のマルチキャストが可能となるまでの遅延時間を低減することができる。
【００２９】
上記課題を解決するために、この発明のある局面に係わる通信制御方法は、複数の宅側装置と、各上記宅側装置と通信信号を送受信するための局側装置とを備える通信システムにおける通信制御方法であって、上記宅側装置は、スリープ期間および起床期間を繰り返す周期的スリープ動作を行ない、上記起床期間において起床指示を受けると上記周期的スリープ動作を停止し、上記起床期間は、上記宅側装置が、上記局側装置から送信される通信信号の受信動作および上記局側装置へ上記通信信号を送信する送信動作を行う期間であり、上記スリープ期間として、上記宅側装置が、上記受信動作を停止する受信スリープ状態となる期間があり、上記局側装置からブロードキャストまたはマルチキャストされた上記通信信号を上記各宅側装置が各々の所定の起床期間において受信できるように、上記各宅側装置を制御するステップと、上記局側装置から上記宅側装置へマルチキャストすべき上記通信信号が発生すると、上記各宅側装置が上記起床指示を上記所定の起床期間において受信するように、上記起床指示をブロードキャストするステップと、上記局側装置が、上記起床指示がブロードキャストされた後、上記宅側装置へ上記通信信号をマルチキャストするステップとを含む。
【００３０】
このような構成により、局側装置から宅側装置へマルチキャスト信号を送信する際に、局側装置内にマルチキャスト信号が滞留する時間を低減することができる。すなわち、通信システムにおいて周期的スリープ動作中の宅側装置が多数存在する場合でも、各宅側装置を短時間で起床させ、マルチキャスト信号が送信可能となるまでの遅延時間の増大を防ぐことができる。したがって、宅側装置がスリープ動作を行なうことが可能な通信システムにおいて、宅側装置への通信信号のマルチキャストが可能となるまでの遅延時間を低減することができる。
【００３１】
またこの発明の別の局面に係わる通信制御方法は、局側装置と通信信号を送受信するための宅側装置における通信制御方法であって、上記宅側装置は、スリープ期間および起床期間を繰り返す周期的スリープ動作を行ない、上記起床期間において起床指示を受けると上記周期的スリープ動作を停止し、上記起床期間は、上記宅側装置が、上記局側装置から送信される通信信号の受信動作および上記局側装置へ上記通信信号を送信する送信動作を行う期間であり、上記スリープ期間として、上記宅側装置が、上記受信動作および上記送信動作を停止する送受信スリープ状態となる期間と、上記受信動作は停止せず、上記送信動作を停止する送信スリープ状態となる期間とがあり、スリープ指示を受けて、上記周期的スリープ動作を上記宅側装置に行なわせるステップと、上記スリープ指示を受けたタイミングから遡って所定時間以内に、上記局側装置によってマルチキャストされた自己の宅側装置を宛先に含む上記通信信号が自己の宅側装置に到着していた場合には、上記スリープ期間において上記送信スリープ状態となるように上記宅側装置を制御するステップとを含む。
【００３２】
このように、マルチキャスト信号の受信状況に応じてスリープ状態における宅側装置の受信動作の継続の有無を設定する構成により、局側装置において起床指示のブロードキャスト等を行なうことなく、宅側装置においてマルチキャスト信号を受信するとともに、省電力効果を高めることができる。すなわち、宅側装置がスリープ動作を行なうことが可能な通信システムにおいて、宅側装置への通信信号のマルチキャストが可能となるまでの遅延時間を低減することができる。
【発明の効果】
【００３３】
本発明によれば、宅側装置がスリープ動作を行なうことが可能な通信システムにおいて、宅側装置への通信信号のマルチキャストが可能となるまでの遅延時間を低減することができる。
【図面の簡単な説明】
【００３４】
【図１】本発明の第１の実施の形態に係るＰＯＮシステムの構成を示す図である。
【図２】本発明の第１の実施の形態に係るＰＯＮシステムにおける局側装置の構成を示す図である。
【図３】本発明の第１の実施の形態に係る宅側装置の構成を示す図である。
【図４】本発明の第１の実施の形態に係るＰＯＮシステムにおいて、局側装置がＯＮＵを１台ずつ起床させるシーケンスを示す図である。
【図５】本発明の第１の実施の形態に係るＰＯＮシステムにおいて、局側装置がマルチキャストフレームを送信する動作の一例を示す図である。
【図６】本発明の第１の実施の形態に係るＰＯＮシステムにおいて、局側装置がマルチキャストフレームを送信する動作の一例を示す図である。
【図７】本発明の第１の実施の形態に係るＰＯＮシステムにおいて、局側装置がマルチキャストフレームを送信する動作の一例を示す図である。
【図８】本発明の第１の実施の形態に係るＰＯＮシステムにおいて、局側装置がマルチキャストフレームを送信する動作の一例を示す図である。
【図９】本発明の第１の実施の形態に係るＰＯＮシステムにおいて、局側装置がマルチキャストフレームを送信する動作の一例を示す図である。
【図１０】本発明の第１の実施の形態に係るＰＯＮシステムにおいて、局側装置がマルチキャストフレームを送信する動作の一例を示す図である。
【図１１】本発明の第１の実施の形態に係るＰＯＮシステムにおいて、局側装置がマルチキャストフレームを送信する動作の一例を示す図である。
【図１２】本発明の第１の実施の形態に係るＰＯＮシステムにおいて、局側装置がマルチキャストフレームを送信する動作の一例を示す図である。
【図１３】本発明の第１の実施の形態に係るＰＯＮシステムにおいて、局側装置がマルチキャストフレームを送信する動作の一例を示す図である。
【図１４】本発明の第１の実施の形態に係るＰＯＮシステムにおいて、局側装置がマルチキャストフレームを送信する動作の一例を示す図である。
【図１５】本発明の第１の実施の形態に係るＰＯＮシステムにおいて、局側装置がマルチキャストフレームを送信する動作の一例を示す図である。
【図１６】本発明の第１の実施の形態に係るＰＯＮシステムにおいて、局側装置がマルチキャストフレームを送信する動作の一例を示す図である。
【図１７】本発明の第２の実施の形態に係るＰＯＮシステムにおいて、局側装置がマルチキャストフレームを送信する動作手順を示すフローチャートである。
【図１８】方法ａ，方法ｂ，方法ｃにおいて、ＭＣフレームの送信のためにＯＮＵを起床させた後、ＯＮＵが行なうスリープ動作の内容を示す図である。
【図１９】本発明の第２の実施の形態に係るＰＯＮシステムにおける宅側装置がスリープ動作の内容を決定する際の動作手順を示すフローチャートである。
【発明を実施するための形態】
【００３５】
以下、本発明の実施の形態について図面を用いて説明する。なお、図中同一または相当部分には同一符号を付してその説明は繰り返さない。
【００３６】
＜第１の実施の形態＞
［構成および基本動作］
図１は、本発明の第１の実施の形態に係るＰＯＮシステムの構成を示す図である。
【００３７】
図１を参照して、ＰＯＮシステム３０１は、たとえば１０Ｇ−ＥＰＯＮであり、ＯＮＵ２０２Ａ，２０２Ｂ，２０２Ｃ，２０２Ｄと、局側装置１０１と、スプリッタＳＰ１，ＳＰ２とを備える。ＯＮＵ２０２Ａ，２０２Ｂ，２０２Ｃと局側装置１０１とは、スプリッタＳＰ１およびＳＰ２ならびに光ファイバＯＰＴＦを介して接続され、互いに光信号を送受信する。ＯＮＵ２０２Ｄと局側装置１０１とは、スプリッタＳＰ２および光ファイバＯＰＴＦを介して接続され、互いに光信号を送受信する。ＰＯＮシステム３０１では、ＯＮＵ２０２Ａ，２０２Ｂ，２０２Ｃ，２０２Ｄから局側装置１０１への光信号が時分割多重される。
【００３８】
以下、ＯＮＵから上位ネットワークへの方向を上り方向と称し、上位ネットワークからＯＮＵへの方向を下り方向と称する。
【００３９】
ＰＯＮシステム３０１では、ＯＮＵ２０２は、前述のような周期的スリープ動作を行なうことが可能である。この周期的スリープ動作において、ＯＮＵ２０２は、局側装置１０１からの下りフレームの受信動作および局側装置１０１への上りフレームの送信動作を停止するスリープ状態へ遷移し、スリープ状態を継続するスリープ期間の満了後にスリープ状態から復帰して上記受信動作および送信動作を行ない、上記受信動作および送信動作を行なう起床期間の満了後に再びスリープ状態へ遷移する。また、ＯＮＵ２０２は、起床期間において局側装置から起床指示を受けると、スリープ状態へ遷移せず、周期的スリープ動作を停止する。より詳細には、ＯＮ２０２は、起床指示を受けると、起床応答を局側装置１０１へ送信し、上記受信動作および送信動作を継続する。
【００４０】
図２は、本発明の第１の実施の形態に係るＰＯＮシステムにおける局側装置の構成を示す図である。
【００４１】
図２を参照して、局側装置１０１は、アップリンクＩＦ（Interface）部３１と、受信処理部３３と、送信処理部３４と、ＰＯＮ送受信部３５と、制御部（スリープ制御部、起床制御部および分類部）３６と、上りフレームを蓄積するＦＩＦＯ３７と、下りフレームを蓄積するＦＩＦＯ３８とを含む。
【００４２】
ＰＯＮ送受信部３５は、共通のＰＯＮ回線経由で各ＯＮＵ２０２と光信号を送受信する。すなわち、ＰＯＮ送受信部３５は、ＰＯＮ線路の親局側起点として、ＰＯＮ回線である光ファイバＯＰＴＦと接続される。ＰＯＮ送受信部３５は、光ファイバＯＰＴＦを介して各ＯＮＵ２０２と双方向通信が行なえるように、特定の波長、たとえば１３１０ｎｍ帯の上り光信号を受信し、電気信号に変換して受信処理部３３に出力するとともに、送信処理部３４から受けた電気信号を別波長の下り光信号に変換してＰＯＮ回線へ送信する。たとえば、ＰＯＮ送受信部３５は、送信処理部３４から受けた１０Ｇｂｐｓ（ギガビット／秒）の電気信号を１５７０ｎｍ帯の下り光信号に変換して各ＯＮＵ２０２へ送信する。
【００４３】
受信処理部３３は、ＰＯＮ送受信部３５から受けた電気信号からフレームを再構成するとともに、フレームの種別に応じて制御部３６またはＦＩＦＯ３７にフレームを振り分ける。具体的には、データフレームをＦＩＦＯ３７に出力し、制御フレームを制御部３６に出力する。
【００４４】
アップリンクＩＦ部３１は、ＦＩＦＯ３７に蓄積された上りフレームを上位ネットワークへ出力する。また、アップリンクＩＦ部３１は、上位ネットワークからフレームを受けると、当該フレームが通常のデータフレームである場合にはＦＩＦＯ３８に出力し、当該フレームが制御フレームである場合には制御部３６に出力する。
【００４５】
アップリンクＩＦ部３１は、制御部３６から制御フレームを受けた場合には、たとえば、ＦＩＦＯ３７からのフレーム列の合間において、当該制御フレームをＦＩＦＯ３７からのフレームよりも優先して上位ネットワークへ出力する。
【００４６】
送信処理部３４は、ＦＩＦＯ３８または制御部３６が送信すべきフレームを有する場合、優先順位に従ってそのフレームを受け取り、ＰＯＮ送受信部３５に出力する。
【００４７】
制御部３６は、ＭＰＣＰおよびＯＡＭなど、ＰＯＮ回線の制御および管理に関する局側処理を行なう。すなわち、ＰＯＮ回線に接続されている各ＯＮＵ２０２とＭＰＣＰメッセージおよびＯＡＭメッセージをやりとりすることによって、ＯＮＵ２０２の登録、離脱および帯域割り当てを含めた上りアクセス制御、下りアクセス制御、ならびにＯＮＵ２０２へのスリープ指示を含めたＯＮＵ２０２の運用管理などを行なう。
【００４８】
たとえば、制御部３６は、各ＯＮＵ２０２から受けたＰＯＮ回線における上り帯域の割り当て要求に基づいて、ＰＯＮ回線における上り帯域を各ＯＮＵ２０２に割り当てる。具体的には、制御部３６は、ＯＮＵ２０２から受けたＰＯＮ回線における帯域の割り当て要求を示すレポートフレームに基づいて、ＰＯＮ回線における帯域をＯＮＵ２０２に割り当てる、すなわちグラントを記したゲートフレームをＯＮＵ２０２へ送信する。制御部３６は、ゲートフレームを用いて、ＯＮＵ２０２に対して、上りフレームの送信開始タイミングおよび送信可能データ長を通知する。
【００４９】
また、制御部３６は、スリープ期間の開始タイミングおよびその長さ、ならびに起床期間の開始タイミングおよびその長さ等をパラメータとするスリープ指示を示す制御フレームをＯＮＵ２０２へ送信する。
【００５０】
図３は、本発明の第１の実施の形態に係る宅側装置の構成を示す図である。
【００５１】
図３を参照して、ＯＮＵ２０２は、ＰＯＮポート２１と、光受信処理部２２と、バッファメモリ２３と、送信処理部２４と、ＵＮＩ（User Network Interface）ポート２５と、受信処理部２６と、バッファメモリ２７と、光送信処理部２８と、制御部（スリープ制御部）２９とを備える。
【００５２】
光受信処理部２２は、局側装置１０１から送信される下り光信号をＰＯＮポート２１経由で受信して電気信号に変換し、当該電気信号からフレームを再構成するとともに、フレームの種別に応じてバッファメモリ２３経由で制御部２９または送信処理部２４に当該フレームを振り分ける。具体的には、光受信処理部２２は、データフレームを送信処理部２４に出力し、制御フレームを制御部２９に出力する。
【００５３】
送信処理部２４は、光受信処理部２２から受けたデータフレームをＵＮＩポート２５経由で図示しないパーソナルコンピュータ等のユーザ端末へ送信する。
【００５４】
受信処理部２６は、ＵＮＩポート２５経由でユーザ端末から受信したデータフレームをバッファメモリ２７経由で光送信処理部２８へ出力する。
【００５５】
制御部２９は、ＭＰＣＰおよびＯＡＭ等、ＰＯＮ回線の制御および管理に関する宅側処理を行なう。すなわち、ＰＯＮ回線に接続されている局側装置１０１とＭＰＣＰメッセージおよびＯＡＭメッセージをやりとりすることによって、アクセス制御等の各種制御を行なう。制御部２９は、各種制御情報を含む制御フレームを生成し、バッファメモリ２７経由で光送信処理部２８へ出力する。
【００５６】
光送信処理部２８は、受信処理部２６から受けたデータフレームおよび制御部２９から受けた制御フレームを光信号に変換し、ＰＯＮポート２１経由で局側装置１０１へ送信する。
【００５７】
また、制御部２９は、局側装置１０１からスリープ指示を示す制御フレームを受信して、周期的スリープ動作を開始する。制御部２９は、スリープ状態において、たとえば光受信処理部２２および光送信処理部２８の動作を停止する。また、制御部２９は、スリープ指示に対するスリープ応答を示す制御フレームを局側装置１０１へ送信する。
【００５８】
また、制御部２９は、局側装置１０１からスリープ指示を示す制御フレームを受信して、スリープ状態へ遷移できないと判断した場合には、周期的スリープ動作を行なわず、スリープ拒否を示す制御フレームを局側装置１０１へ送信する。
【００５９】
また、制御部２９は、周期的スリープ動作において、スリープ状態から復帰した後、スリープ状態を継続可能であるか否かを判断し、継続可能であると判断した場合には、所定の起床期間が終了すると再びスリープ状態へ遷移する。一方、制御部２９は、スリープ状態から復帰した後、スリープ状態を継続不可であると判断した場合には、たとえば起床通知を局側装置１０１へ送信し、通常動作を行なう。
【００６０】
ここで、局側装置１０１がマルチキャストフレーム（以下、ＭＣフレームとも称する。）をＯＮＵ２０２へ送信する際、通常、ＭＣフレームを受信すべきＯＮＵ２０２は複数存在する。
【００６１】
局側装置１０１がＯＮＵ２０２へＭＣフレームを送信する場合、ＭＣフレームの宛先となるＯＮＵ２０２はすべてＭＣフレームを受信可能な状態になっていなくてはならない。ＭＣフレームの宛先となるＯＮＵ２０２がスリープ状態にあり、下りフレームの受信ができない状態であれば、局側装置１０１は、下りフレームを送信する前に当該ＯＮＵ２０２を起床させ、下りフレームを受信可能な状態にする必要がある。
【００６２】
局側装置１０１は、ＯＮＵ２０２を起床させるために、ＯＮＵ２０２に起床指示を示す制御フレームを送信する。そして、起床させる必要のあるＯＮＵ２０２が複数存在する場合には、これらのＯＮＵすべてに起床指示を送信する必要がある。このため、ＭＣフレームを送信可能になるまでの時間が、起床させるべきＯＮＵ２０２の台数に比例して増大してしまう。ＰＯＮシステム３０１においては、たとえば、ＯＮＵ２０２の台数が最大１２８となる場合もある。
【００６３】
図４は、本発明の第１の実施の形態に係るＰＯＮシステムにおいて、局側装置がＯＮＵを１台ずつ起床させるシーケンスを示す図である。図４は、ＯＮＵ１，ＯＮＵ２，ＯＮＵ３が局側装置１０１に接続されている場合を示しており、Ｔ＿ＳＬＥＥＰはＯＮＵのスリープ期間であり、Ｔ＿ＡＷＡＫＥはＯＮＵの起床期間である。
【００６４】
図４を参照して、ＯＮＵ１，ＯＮＵ２，ＯＮＵ３が周期的スリープ動作を行っている状態において、局側装置１０１が、上位ネットワークからＭＣフレームを受信したとする。局側装置１０１は、たとえば、このＭＣフレームの宛先がＯＮＵ１，ＯＮＵ２，ＯＮＵ３である場合には、まず、ＯＮＵ１の起床期間においてＯＮＵ１へ起床指示を送信し、ＯＮＵ１から起床応答を受信する。次に、局側装置１０１は、ＯＮＵ２の起床期間においてＯＮＵ２へ起床指示を送信し、ＯＮＵ２から起床応答を受信する。次に、局側装置１０１は、ＯＮＵ３の起床期間においてＯＮＵ３へ起床指示を送信し、ＯＮＵ３から起床応答を受信する。これにより、局側装置１０１においてＭＣフレームの送信が可能となる。そして、局側装置１０１は、ＯＮＵ１，ＯＮＵ２，ＯＮＵ３へＭＣフレームを送信する。
【００６５】
このように、局側装置１０１は、ＭＣフレームの宛先であるＯＮＵ１，ＯＮＵ２，ＯＮＵ３へ起床指示を送信し、ＯＮＵ１，ＯＮＵ２，ＯＮＵ３から起床応答を受信するまで、ＭＣフレームを送信することができない。
【００６６】
そして、局側装置１０１は、ＯＮＵのスリープ期間中は起床指示を送信することができない、すなわち起床指示を送信してもＯＮＵが当該起床指示を受信できないことから、ＯＮＵの省電力動作に起因して、ＭＣフレームが局側装置１０１内に滞留する時間が最大で（Ｔ＿ＳＬＥＥＰ＋Ｔｗ）増加する。ここで、期間Ｔｗは、局側装置１０１が各ＯＮＵを起床させるのに要する時間である。
【００６７】
局側装置１０１内にＭＣフレームが滞留する時間が増加すると、たとえばパケットロスの発生を防ぐために局側装置１０１が備えなければならないバッファ容量が増加し、コストが増大してしまう。また、期間ＴｗはＯＮＵが起床している期間でもあり、期間Ｔｗが増加すると、省電力効果が低下してしまう。したがって、ＰＯＮシステムにおいて、期間Ｔｗを短縮可能な構成が望まれる。
【００６８】
［動作］
次に、本発明の第１の実施の形態に係る局側装置がマルチキャストフレームの送信制御を行なう際の動作について図面を用いて説明する。
【００６９】
図５は、本発明の第１の実施の形態に係るＰＯＮシステムにおいて、局側装置がマルチキャストフレームを送信する動作の一例を示す図である。図５は、ＯＮＵ１，ＯＮＵ２，ＯＮＵ３，ＯＮＵ４が局側装置１０１に接続されている場合を示しており、Ｔ＿ＳＬＥＥＰはＯＮＵのスリープ期間であり、Ｔ＿ＡＷＡＫＥはＯＮＵの起床期間である。また、局側装置１０１は、各ＯＮＵの周期的スリープ動作の有無ならびにスリープ期間および起床期間のタイミングを管理しており、図５におけるＯＬＴ側のＴ＿ＳＬＥＥＰおよびＴ＿ＡＷＡＫＥは、局側装置１０１の認識内容の一部または全部を示している。
【００７０】
局側装置１０１は、ＯＮＵへ送信すべきＭＣフレームが発生すると、起床指示を全ＯＮＵにブロードキャストし、全ＯＮＵを起床させてからＭＣフレームを送信する。
【００７１】
より詳細には、局側装置１０１における制御部３６は、周期的スリープ動作において、各ＯＮＵ２０２の起床期間が一致する共通起床期間が設けられるように各ＯＮＵ２０２を制御する。そして、制御部３６は、局側装置１０１からＯＮＵ２０２へマルチキャストすべきフレームが発生すると、起床指示が共通起床期間において各ＯＮＵ２０２に到着するように、起床指示をブロードキャストする。制御部３６は、起床指示をブロードキャストした後、ＯＮＵ２０２へ当該フレームをマルチキャストする。
【００７２】
具体的には、図５を参照して、まず、タイミングｔ１において、局側装置１０１は、スリープ指示を示す制御フレームをブロードキャストする。
【００７３】
ＯＮＵ１〜ＯＮＵ４は、局側装置１０１からスリープ指示を受信して、スリープ応答を示す制御フレームを局側装置１０１へ送信し、共通のスリープ期間および共通の起床期間による周期的スリープ動作を開始する。
【００７４】
なお、局側装置１０１は、スリープ指示を示す制御フレームをブロードキャストする構成に限らず、各ＯＮＵにユニキャストする構成であってもよい。また、局側装置１０１は、各ＯＮＵの周期的スリープ動作の開始タイミングを一致させる構成に限らず、ＯＮＵごとに異なるタイミングで周期的スリープ動作を開始させてもよい。
【００７５】
次に、ＯＮＵ１〜ＯＮＵ４のスリープ期間中であるタイミングｔ２において、局側装置１０１は、たとえば上位ネットワークからＭＣフレームを受信する。局側装置１０１は、ＯＮＵ１〜ＯＮＵ４がスリープ状態であることから、当該ＭＣフレームを一時保存し、次の起床期間まで待機する。
【００７６】
次に、上記起床期間の開始後のタイミングｔ３において、局側装置１０１は、起床指示を示す制御フレームをブロードキャストする。
【００７７】
ＯＮＵ１〜ＯＮＵ４は、局側装置１０１から起床指示を受信して、通常動作へ復帰し、起床応答を示す制御フレームを局側装置１０１へ送信する。
【００７８】
次に、タイミングｔ４において、局側装置１０１は、ＯＮＵ１〜ＯＮＵ４から起床応答を受信し、ＭＣフレームの送信が可能な状態となる。
【００７９】
そして、タイミングｔ５において、局側装置１０１は、ＭＣフレームをＰＯＮ回線へ送信する。ＯＮＵ１，ＯＮＵ２は、当該ＭＣフレームを受信する。
【００８０】
なお、ＰＯＮシステム３０１が１０Ｇ−ＥＰＯＮおよびＧＥ−ＰＯＮの両方に対応し、１０Ｇ−ＥＰＯＮに対応する１０Ｇ  ＯＮＵ、およびＧＥ−ＰＯＮに対応する１Ｇ  ＯＮＵが混在する環境において、これらのＯＮＵは、対応のレートのフレームしか受信できない。たとえば、１Ｇ  ＯＮＵは、１０Ｇ  ＯＮＵ宛のフレームを受信できない。
【００８１】
このため、ＰＯＮシステム３０１では、１０Ｇの下りフレームおよび１Ｇの下りフレームが独立して送受信され、ブロードキャストフレームも１０Ｇ用と１Ｇ用とが存在する。
【００８２】
たとえば、局側装置１０１は、１０Ｇ  ＯＮＵ宛のＭＣフレームを受信して、図５に示す方法に従って配下の各ＯＮＵを起床させる場合でも、１０Ｇ  ＯＮＵのみに対して起床指示をブロードキャストすればよい。一方、局側装置１０１は、１０Ｇ  ＯＮＵ、および１Ｇ  ＯＮＵの両方を宛先とするＭＣフレームを受信した場合には、１０Ｇ  ＯＮＵおよび１Ｇ  ＯＮＵの両方に対して起床指示をブロードキャストする必要がある。
【００８３】
図６は、本発明の第１の実施の形態に係るＰＯＮシステムにおいて、局側装置がマルチキャストフレームを送信する動作の一例を示す図である。図６において、ＭＣフレームの宛先はＯＮＵ１，ＯＮＵ２であり、ＯＮＵ３，ＯＮＵ４は当該宛先に含まれないものとする。その他、図６の見方および諸条件は図５と同様である。
【００８４】
局側装置１０１は、ＭＣフレームの宛先を参照し、宛先となるＯＮＵの中に周期的スリープ動作中のＯＮＵが存在する場合に、起床指示を示す制御フレームをブロードキャストし、配下の各ＯＮＵを起床させてからＭＣフレームを送信する。
【００８５】
具体的には、図６を参照して、まず、タイミングｔ１１において、図５に示す場合と同様に、局側装置１０１は、スリープ指示を示す制御フレームをブロードキャストする。
【００８６】
ＯＮＵ１〜ＯＮＵ４は、局側装置１０１からスリープ指示を受信して、スリープ応答を示す制御フレームを局側装置１０１へ送信し、共通のスリープ期間および共通の起床期間による周期的スリープ動作を開始する。
【００８７】
次に、ＯＮＵ１〜ＯＮＵ４のスリープ期間中であるタイミングｔ１２において、局側装置１０１は、たとえば上位ネットワークからＭＣフレームを受信する。局側装置１０１は、当該ＭＣフレームの宛先がＯＮＵ１，ＯＮＵ２であり、ＯＮＵ１，ＯＮＵ２は周期的スリープ動作中であることから、起床指示をブロードキャストすることを決定する。そして、局側装置１０１は、ＯＮＵ１，ＯＮＵ２がスリープ状態であることから、当該ＭＣフレームを一時保存し、次の起床期間まで待機する。なお、局側装置１０１は、ＭＣフレームの宛先となるＯＮＵが１つでも周期的スリープ動作中であれば、起床指示をブロードキャストすることを決定する。
【００８８】
次に、上記起床期間の開始後のタイミングｔ１３において、局側装置１０１は、起床指示を示す制御フレームをブロードキャストする。
【００８９】
ＯＮＵ１〜ＯＮＵ４は、局側装置１０１から起床指示を受信して、通常動作へ復帰し、起床応答を示す制御フレームを局側装置１０１へ送信する。
【００９０】
次に、タイミングｔ１４において、局側装置１０１は、ＯＮＵ１〜ＯＮＵ４から起床応答を受信し、ＭＣフレームの送信が可能な状態となる。
【００９１】
そして、タイミングｔ１５において、局側装置１０１は、ＭＣフレームをＰＯＮ回線へ送信する。ＯＮＵ１，ＯＮＵ２は、当該ＭＣフレームを受信する。
【００９２】
図７は、本発明の第１の実施の形態に係るＰＯＮシステムにおいて、局側装置がマルチキャストフレームを送信する動作の一例を示す図である。図７の見方および諸条件は図６と同様である。
【００９３】
局側装置１０１は、図６に示す場合と同様に、ＭＣフレームの宛先を参照し、宛先となるＯＮＵの中に周期的スリープ動作中のＯＮＵが存在する場合に、起床指示を示す制御フレームをブロードキャストし、配下の各ＯＮＵを起床させてからＭＣフレームを送信する。
【００９４】
具体的には、図７を参照して、まず、タイミングｔ２１において、図５に示す場合と同様に、局側装置１０１は、スリープ指示を示す制御フレームをブロードキャストする。
【００９５】
ＯＮＵ１，ＯＮＵ２は、局側装置１０１からスリープ指示を受信して、スリープ拒否を示す制御フレームを局側装置１０１へ送信し、通常動作を継続する。また、ＯＮＵ３，ＯＮＵ４は、局側装置１０１からスリープ指示を受信して、スリープ応答を示す制御フレームを局側装置１０１へ送信し、共通のスリープ期間および共通の起床期間による周期的スリープ動作を開始する。
【００９６】
次に、タイミングｔ２２において、局側装置１０１は、たとえば上位ネットワークからＭＣフレームを受信する。局側装置１０１は、当該ＭＣフレームの宛先がＯＮＵ１，ＯＮＵ２であり、ＯＮＵ１，ＯＮＵ２は周期的スリープ動作を行っていないことから、当該ＭＣフレームの送信が可能な状態であり、起床指示をブロードキャストする必要はないと判断する。
【００９７】
次に、タイミングｔ２３において、局側装置１０１は、ＭＣフレームをＰＯＮ回線へ送信する。ＯＮＵ１，ＯＮＵ２は、当該ＭＣフレームを受信する。
【００９８】
図８は、本発明の第１の実施の形態に係るＰＯＮシステムにおいて、局側装置がマルチキャストフレームを送信する動作の一例を示す図である。図８の見方および諸条件は図６と同様である。
【００９９】
局側装置１０１は、ＭＣフレームの宛先を参照し、宛先となるＯＮＵの中に周期的スリープ動作中のＯＮＵが存在し、かつその数が所定の閾値以上である場合に、起床指示を示す制御フレームをブロードキャストし、配下の各ＯＮＵを起床させてからＭＣフレームを送信する。ここでは、閾値を２とする。
【０１００】
具体的には、図８を参照して、まず、タイミングｔ３１において、図５に示す場合と同様に、局側装置１０１は、スリープ指示を示す制御フレームをブロードキャストする。
【０１０１】
ＯＮＵ１〜ＯＮＵ４は、局側装置１０１からスリープ指示を受信して、スリープ応答を示す制御フレームを局側装置１０１へ送信し、共通のスリープ期間および共通の起床期間による周期的スリープ動作を開始する。
【０１０２】
次に、ＯＮＵ１〜ＯＮＵ４のスリープ期間中であるタイミングｔ３２において、局側装置１０１は、たとえば上位ネットワークからＭＣフレームを受信する。局側装置１０１は、当該ＭＣフレームの宛先がＯＮＵ１，ＯＮＵ２であり、当該宛先において周期的スリープ動作中のＯＮＵの数が所定の閾値以上であることから、起床指示をブロードキャストすることを決定する。そして、局側装置１０１は、ＯＮＵ１，ＯＮＵ２がスリープ状態であることから、当該ＭＣフレームを一時保存し、次の起床期間まで待機する。
【０１０３】
次に、上記起床期間の開始後のタイミングｔ３３において、局側装置１０１は、起床指示を示す制御フレームをブロードキャストする。
【０１０４】
ＯＮＵ１〜ＯＮＵ４は、局側装置１０１から起床指示を受信して、通常動作へ復帰し、起床応答を示す制御フレームを局側装置１０１へ送信する。
【０１０５】
次に、タイミングｔ３４において、局側装置１０１は、ＯＮＵ１〜ＯＮＵ４から起床応答を受信し、ＭＣフレームの送信が可能な状態となる。
【０１０６】
そして、タイミングｔ３５において、局側装置１０１は、ＭＣフレームをＰＯＮ回線へ送信する。ＯＮＵ１，ＯＮＵ２は、当該ＭＣフレームを受信する。
【０１０７】
図９は、本発明の第１の実施の形態に係るＰＯＮシステムにおいて、局側装置がマルチキャストフレームを送信する動作の一例を示す図である。図９の見方および諸条件は図６と同様である。
【０１０８】
局側装置１０１は、ＭＣフレームの宛先を参照し、宛先となるＯＮＵの中に周期的スリープ動作中のＯＮＵが存在しないか、または当該宛先において周期的スリープ動作中のＯＮＵの数が所定の閾値未満である場合には、起床指示を示す制御フレームを周期的スリープ動作中のＯＮＵにユニキャストし、当該ＯＮＵを起床させてからＭＣフレームを送信する。ここでは、閾値を２とする。
【０１０９】
具体的には、図９を参照して、まず、タイミングｔ４１において、図５に示す場合と同様に、局側装置１０１は、スリープ指示を示す制御フレームをブロードキャストする。
【０１１０】
ＯＮＵ１，ＯＮＵ３，ＯＮＵ４は、局側装置１０１からスリープ指示を受信して、スリープ応答を示す制御フレームを局側装置１０１へ送信し、共通のスリープ期間および共通の起床期間による周期的スリープ動作を開始する。また、ＯＮＵ２は、局側装置１０１からスリープ指示を受信して、スリープ拒否を示す制御フレームを局側装置１０１へ送信し、通常動作を継続する。
【０１１１】
次に、ＯＮＵ１，ＯＮＵ３，ＯＮＵ４のスリープ期間中であるタイミングｔ４２において、局側装置１０１は、たとえば上位ネットワークからＭＣフレームを受信する。局側装置１０１は、当該ＭＣフレームの宛先がＯＮＵ１，ＯＮＵ２であり、ＯＮＵ１が周期的スリープ動作中であり、ＯＮＵ２が周期的スリープ動作を行っていない、すなわち当該宛先において周期的スリープ動作中のＯＮＵの数が所定の閾値未満であることから、起床指示をブロードキャストする必要はないと判断し、起床指示をユニキャストすることを決定する。
【０１１２】
そして、局側装置１０１は、ＯＮＵ１がスリープ状態であることから、当該ＭＣフレームを一時保存し、次の起床期間まで待機する。
【０１１３】
次に、上記起床期間の開始後のタイミングｔ４３において、局側装置１０１は、起床指示を示す制御フレームをＯＮＵ１へユニキャストする。
【０１１４】
ＯＮＵ１は、局側装置１０１から起床指示を受信して、通常動作へ復帰し、起床応答を示す制御フレームを局側装置１０１へ送信する。
【０１１５】
次に、タイミングｔ４４において、局側装置１０１は、ＯＮＵ１から起床応答を受信し、ＭＣフレームの送信が可能な状態となる。
【０１１６】
そして、タイミングｔ４５において、局側装置１０１は、ＭＣフレームをＰＯＮ回線へ送信する。ＯＮＵ１，ＯＮＵ２は、当該ＭＣフレームを受信する。
【０１１７】
図１０は、本発明の第１の実施の形態に係るＰＯＮシステムにおいて、局側装置がマルチキャストフレームを送信する動作の一例を示す図である。図１０の見方および諸条件は図６と同様である。
【０１１８】
局側装置１０１は、図９に示す場合と同様に、ＭＣフレームの宛先を参照し、宛先となるＯＮＵの中に周期的スリープ動作中のＯＮＵが存在しないか、または当該宛先において周期的スリープ動作中のＯＮＵの数が所定の閾値未満である場合には、起床指示を示す制御フレームを周期的スリープ動作中のＯＮＵにユニキャストし、当該ＯＮＵを起床させてからＭＣフレームを送信する。ここでは、閾値を２とする。
【０１１９】
具体的には、図１０を参照して、まず、タイミングｔ５１において、図５に示す場合と同様に、局側装置１０１は、スリープ指示を示す制御フレームをブロードキャストする。
【０１２０】
ＯＮＵ３，ＯＮＵ４は、局側装置１０１からスリープ指示を受信して、スリープ応答を示す制御フレームを局側装置１０１へ送信し、共通のスリープ期間および共通の起床期間による周期的スリープ動作を開始する。また、ＯＮＵ１，ＯＮＵ２は、局側装置１０１からスリープ指示を受信して、スリープ拒否を示す制御フレームを局側装置１０１へ送信し、通常動作を継続する。
【０１２１】
次に、タイミングｔ５２において、局側装置１０１は、たとえば上位ネットワークからＭＣフレームを受信する。局側装置１０１は、当該ＭＣフレームの宛先がＯＮＵ１，ＯＮＵ２であり、ＯＮＵ１，ＯＮＵ２が周期的スリープ動作を行っていない、すなわち当該ＭＣフレームの宛先に周期的スリープ動作中のＯＮＵが含まれていないことから、当該ＭＣフレームの送信が可能な状態であり、起床指示をブロードキャストする必要はないと判断する。
【０１２２】
そして、タイミングｔ５３において、局側装置１０１は、ＭＣフレームをＰＯＮ回線へ送信する。ＯＮＵ１，ＯＮＵ２は、当該ＭＣフレームを受信する。
【０１２３】
図１１は、本発明の第１の実施の形態に係るＰＯＮシステムにおいて、局側装置がマルチキャストフレームを送信する動作の一例を示す図である。
【０１２４】
局側装置１０１は、配下の各ＯＮＵを、ＭＣフレームの宛先となる可能性の有る１または複数のＯＮＵ２０２からなるグループＡ、およびＭＣフレームの宛先となる可能性のない１または複数のＯＮＵ２０２からなるグループＢに分類する。
【０１２５】
局側装置１０１は、グループＡおよびグループＢの各々が、ＯＮＵ間で共通の起床期間を持ち、かつグループ間で起床期間が重ならないように、各ＯＮＵを制御する。
【０１２６】
そして、局側装置１０１は、ＭＣフレームを受信すると、起床指示がグループＡの起床期間において各ＯＮＵに到着するように当該起床指示をブロードキャストし、ＭＣフレームの送信先のＯＮＵを起床させる。
【０１２７】
上記のように各グループのＯＮＵの周期的スリープ動作を制御すると、グループＡの起床期間がグループＢのスリープ期間に該当することになる。このため、グループＡに属する各ＯＮＵが下りフレームを受信可能な状態のとき、グループＢに属するＯＮＵは下りフレームを受信できない状態となる。
【０１２８】
すなわち、グループＢに属するＯＮＵは、グループＡの起床期間においてブロードキャストされた起床指示を示す制御フレームを受信できない。これにより、起床させるべきグループＡに属するＯＮＵを選択的に起床させることができ、起床させるべきでないＯＮＵが起床してしまうことを防ぐことができる。
【０１２９】
図１１は、ＯＮＵ１，ＯＮＵ２，ＯＮＵ３，ＯＮＵ４が局側装置１０１に接続されている場合を示しており、ＯＮＵ１，ＯＮＵ２がグループＡに属し、ＯＮＵ３，ＯＮＵ４がグループＢに属している。また、Ｔ＿ＳＬＥＥＰ＿Ａ，Ｔ＿ＳＬＥＥＰ＿ＢはそれぞれグループＡ，Ｂのスリープ期間であり、Ｔ＿ＡＷＡＫＥ＿Ａ，Ｔ＿ＡＷＡＫＥ＿ＢはそれぞれグループＡ，Ｂの起床期間である。また、ＭＣフレームの宛先はＯＮＵ１，ＯＮＵ２であり、ＯＮＵ３，ＯＮＵ４は当該宛先に含まれないものとする。また、局側装置１０１は、各ＯＮＵの周期的スリープ動作の有無ならびにスリープ期間および起床期間のタイミングを管理しており、図１１におけるＯＬＴ側のＴ＿ＳＬＥＥＰおよびＴ＿ＡＷＡＫＥは、局側装置１０１の認識内容の一部または全部を示している。
【０１３０】
図１１を参照して、まず、タイミングｔ６１において、局側装置１０１は、スリープ指示を示す制御フレームを、グループＡに属するＯＮＵ１，ＯＮＵ２へユニキャストする。ここで、局側装置１０１は、ＯＮＵ１，ＯＮＵ２の起床期間が一致する共通起床期間が設けられるように各ＯＮＵ２０２を制御する。
【０１３１】
ＯＮＵ１，ＯＮＵ２は、局側装置１０１からスリープ指示を受信して、スリープ応答を示す制御フレームを局側装置１０１へ送信し、共通のスリープ期間および共通の起床期間による周期的スリープ動作を開始する。
【０１３２】
次に、タイミングｔ６２において、局側装置１０１は、スリープ指示を示す制御フレームを、グループＢに属するＯＮＵ３，ＯＮＵ４へユニキャストする。ここで、局側装置１０１は、ＯＮＵ３，ＯＮＵ４の起床期間が一致する共通起床期間が設けられるように各ＯＮＵ２０２を制御する。
【０１３３】
ＯＮＵ３，ＯＮＵ４は、局側装置１０１からスリープ指示を受信して、スリープ応答を示す制御フレームを局側装置１０１へ送信し、共通のスリープ期間および共通の起床期間による周期的スリープ動作を開始する。
【０１３４】
なお、局側装置１０１は、スリープ指示を示す制御フレームをユニキャストする構成に限らず、各ＯＮＵにマルチキャストする構成であってもよい。また、局側装置１０１は、グループにおける各ＯＮＵの周期的スリープ動作の開始タイミングを一致させる構成に限らず、ＯＮＵごとに異なるタイミングで周期的スリープ動作を開始させてもよい。
【０１３５】
次に、ＯＮＵ１，ＯＮＵ２のスリープ期間中であるタイミングｔ６３において、局側装置１０１は、たとえば上位ネットワークからＭＣフレームを受信する。局側装置１０１は、当該ＭＣフレームの宛先がＯＮＵ１，ＯＮＵ２であり、ＯＮＵ１，ＯＮＵ２がスリープ状態であることから、当該ＭＣフレームを一時保存し、次の起床期間まで待機する。
【０１３６】
次に、上記起床期間の開始後のタイミングｔ６４、すなわちＯＮＵ３，ＯＮＵ４のスリープ期間中において、局側装置１０１は、起床指示を示す制御フレームをブロードキャストする。
【０１３７】
ＯＮＵ１，ＯＮＵ２は、局側装置１０１から起床指示を受信して、通常動作へ復帰し、起床応答を示す制御フレームを局側装置１０１へ送信する。一方、ＯＮＵ３，ＯＮＵ４は、スリープ状態であるため、局側装置１０１から起床指示が送信されてきても、通常動作へ復帰せず、周期的スリープ動作を継続する。
【０１３８】
次に、タイミングｔ６５において、局側装置１０１は、ＯＮＵ１，ＯＮＵ２から起床応答を受信し、ＭＣフレームの送信が可能な状態となる。
【０１３９】
そして、タイミングｔ６６において、局側装置１０１は、ＭＣフレームをＰＯＮ回線へ送信する。ＯＮＵ１，ＯＮＵ２は、当該ＭＣフレームを受信する。
【０１４０】
図１２は、本発明の第１の実施の形態に係るＰＯＮシステムにおいて、局側装置がマルチキャストフレームを送信する動作の一例を示す図である。図１２の見方および諸条件は図１１と同様である。
【０１４１】
局側装置１０１は、ＭＣフレームの宛先を参照し、宛先となるＯＮＵの中に周期的スリープ動作中のＯＮＵが存在する場合に、起床指示を示す制御フレームをブロードキャストし、配下の各ＯＮＵを起床させてからＭＣフレームを送信する。
【０１４２】
具体的には、図１２を参照して、まず、タイミングｔ７１において、図１１に示す場合と同様に、局側装置１０１は、スリープ指示を示す制御フレームを、グループＡに属するＯＮＵ１，ＯＮＵ２へユニキャストする。
【０１４３】
ＯＮＵ１，ＯＮＵ２は、局側装置１０１からスリープ指示を受信して、スリープ応答を示す制御フレームを局側装置１０１へ送信し、共通のスリープ期間および共通の起床期間による周期的スリープ動作を開始する。
【０１４４】
次に、タイミングｔ７２において、図１１に示す場合と同様に、局側装置１０１は、スリープ指示を示す制御フレームを、グループＢに属するＯＮＵ３，ＯＮＵ４へユニキャストする。
【０１４５】
ＯＮＵ３，ＯＮＵ４は、局側装置１０１からスリープ指示を受信して、スリープ応答を示す制御フレームを局側装置１０１へ送信し、共通のスリープ期間および共通の起床期間による周期的スリープ動作を開始する。
【０１４６】
次に、ＯＮＵ１，ＯＮＵ２のスリープ期間中であるタイミングｔ７３において、局側装置１０１は、たとえば上位ネットワークからＭＣフレームを受信する。局側装置１０１は、当該ＭＣフレームの宛先がＯＮＵ１，ＯＮＵ２であり、ＯＮＵ１，ＯＮＵ２は周期的スリープ動作中であることから、起床指示をブロードキャストすることを決定する。そして、局側装置１０１は、ＯＮＵ１，ＯＮＵ２がスリープ状態であることから、当該ＭＣフレームを一時保存し、次の起床期間まで待機する。なお、局側装置１０１は、ＭＣフレームの宛先となるＯＮＵが１つでも周期的スリープ動作中であれば、起床指示をブロードキャストすることを決定する。
【０１４７】
次に、上記起床期間の開始後のタイミングｔ７４、すなわちＯＮＵ３，ＯＮＵ４のスリープ期間中において、局側装置１０１は、起床指示を示す制御フレームをブロードキャストする。
【０１４８】
ＯＮＵ１，ＯＮＵ２は、局側装置１０１から起床指示を受信して、通常動作へ復帰し、起床応答を示す制御フレームを局側装置１０１へ送信する。一方、ＯＮＵ３，ＯＮＵ４は、スリープ状態であるため、局側装置１０１から起床指示が送信されてきても、通常動作へ復帰せず、周期的スリープ動作を継続する。
【０１４９】
次に、タイミングｔ７５において、局側装置１０１は、ＯＮＵ１，ＯＮＵ２から起床応答を受信し、ＭＣフレームの送信が可能な状態となる。
【０１５０】
そして、タイミングｔ７６において、局側装置１０１は、ＭＣフレームをＰＯＮ回線へ送信する。ＯＮＵ１，ＯＮＵ２は、当該ＭＣフレームを受信する。
【０１５１】
図１３は、本発明の第１の実施の形態に係るＰＯＮシステムにおいて、局側装置がマルチキャストフレームを送信する動作の一例を示す図である。図１３の見方および諸条件は図１１と同様である。
【０１５２】
局側装置１０１は、図１２に示す場合と同様に、ＭＣフレームの宛先を参照し、宛先となるＯＮＵの中に周期的スリープ動作中のＯＮＵが存在する場合に、起床指示を示す制御フレームをブロードキャストし、配下の各ＯＮＵを起床させてからＭＣフレームを送信する。
【０１５３】
具体的には、図１３を参照して、まず、タイミングｔ８１において、図１１に示す場合と同様に、局側装置１０１は、スリープ指示を示す制御フレームを、グループＡに属するＯＮＵ１，ＯＮＵ２へユニキャストする。
【０１５４】
ＯＮＵ１，ＯＮＵ２は、局側装置１０１からスリープ指示を受信して、スリープ拒否を示す制御フレームを局側装置１０１へ送信し、通常動作を継続する。
【０１５５】
次に、タイミングｔ８２において、図１１に示す場合と同様に、局側装置１０１は、スリープ指示を示す制御フレームを、グループＢに属するＯＮＵ３，ＯＮＵ４へユニキャストする。
【０１５６】
ＯＮＵ３，ＯＮＵ４は、局側装置１０１からスリープ指示を受信して、スリープ応答を示す制御フレームを局側装置１０１へ送信し、共通のスリープ期間および共通の起床期間による周期的スリープ動作を開始する。
【０１５７】
次に、タイミングｔ８３において、局側装置１０１は、たとえば上位ネットワークからＭＣフレームを受信する。局側装置１０１は、当該ＭＣフレームの宛先がＯＮＵ１，ＯＮＵ２であり、ＯＮＵ１，ＯＮＵ２は周期的スリープ動作を行っていないことから、当該ＭＣフレームの送信が可能な状態であり、起床指示をブロードキャストする必要はないと判断する。
【０１５８】
そして、タイミングｔ８４において、局側装置１０１は、ＭＣフレームをＰＯＮ回線へ送信する。ＯＮＵ１，ＯＮＵ２は、当該ＭＣフレームを受信する。
【０１５９】
図１４は、本発明の第１の実施の形態に係るＰＯＮシステムにおいて、局側装置がマルチキャストフレームを送信する動作の一例を示す図である。図１４の見方および諸条件は図１１と同様である。
【０１６０】
局側装置１０１は、ＭＣフレームの宛先を参照し、宛先となるＯＮＵの中に周期的スリープ動作中のＯＮＵが存在し、かつその数が所定の閾値以上である場合に、起床指示を示す制御フレームをブロードキャストし、配下の各ＯＮＵを起床させてからＭＣフレームを送信する。ここでは、閾値を２とする。
【０１６１】
具体的には、図１４を参照して、まず、タイミングｔ９１において、図１１に示す場合と同様に、局側装置１０１は、スリープ指示を示す制御フレームを、グループＡに属するＯＮＵ１，ＯＮＵ２へユニキャストする。
【０１６２】
ＯＮＵ１，ＯＮＵ２は、局側装置１０１からスリープ指示を受信して、スリープ応答を示す制御フレームを局側装置１０１へ送信し、共通のスリープ期間および共通の起床期間による周期的スリープ動作を開始する。
【０１６３】
次に、タイミングｔ９２において、図１１に示す場合と同様に、局側装置１０１は、スリープ指示を示す制御フレームを、グループＢに属するＯＮＵ３，ＯＮＵ４へユニキャストする。
【０１６４】
ＯＮＵ３，ＯＮＵ４は、局側装置１０１からスリープ指示を受信して、スリープ応答を示す制御フレームを局側装置１０１へ送信し、共通のスリープ期間および共通の起床期間による周期的スリープ動作を開始する。
【０１６５】
次に、ＯＮＵ１〜ＯＮＵ４のスリープ期間中であるタイミングｔ９３において、局側装置１０１は、たとえば上位ネットワークからＭＣフレームを受信する。局側装置１０１は、当該ＭＣフレームの宛先がＯＮＵ１，ＯＮＵ２であり、当該宛先において周期的スリープ動作中のＯＮＵの数が所定の閾値以上であることから、起床指示をブロードキャストすることを決定する。そして、局側装置１０１は、ＯＮＵ１，ＯＮＵ２がスリープ状態であることから、当該ＭＣフレームを一時保存し、次の起床期間まで待機する。
【０１６６】
次に、上記起床期間の開始後のタイミングｔ９４において、局側装置１０１は、起床指示を示す制御フレームをブロードキャストする。
【０１６７】
ＯＮＵ１，ＯＮＵ２は、局側装置１０１から起床指示を受信して、通常動作へ復帰し、起床応答を示す制御フレームを局側装置１０１へ送信する。一方、ＯＮＵ３，ＯＮＵ４は、スリープ状態であるため、局側装置１０１から起床指示が送信されてきても、通常動作へ復帰せず、周期的スリープ動作を継続する。
【０１６８】
次に、タイミングｔ９５において、局側装置１０１は、ＯＮＵ１，ＯＮＵ２から起床応答を受信し、ＭＣフレームの送信が可能な状態となる。
【０１６９】
そして、タイミングｔ９６において、局側装置１０１は、ＭＣフレームをＰＯＮ回線へ送信する。ＯＮＵ１，ＯＮＵ２は、当該ＭＣフレームを受信する。
【０１７０】
図１５は、本発明の第１の実施の形態に係るＰＯＮシステムにおいて、局側装置がマルチキャストフレームを送信する動作の一例を示す図である。図１５の見方および諸条件は図１１と同様である。
【０１７１】
局側装置１０１は、ＭＣフレームの宛先を参照し、宛先となるＯＮＵの中に周期的スリープ動作中のＯＮＵが存在しないか、または当該宛先において周期的スリープ動作中のＯＮＵの数が所定の閾値未満である場合には、起床指示を示す制御フレームを周期的スリープ動作中のＯＮＵにユニキャストし、当該ＯＮＵを起床させてからＭＣフレームを送信する。ここでは、閾値を２とする。
【０１７２】
具体的には、図１５を参照して、まず、タイミングｔ１０１において、図１１に示す場合と同様に、局側装置１０１は、スリープ指示を示す制御フレームを、グループＡに属するＯＮＵ１，ＯＮＵ２へユニキャストする。
【０１７３】
ＯＮＵ１は、局側装置１０１からスリープ指示を受信して、スリープ応答を示す制御フレームを局側装置１０１へ送信し、周期的スリープ動作を開始する。また、ＯＮＵ２は、局側装置１０１からスリープ指示を受信して、スリープ拒否を示す制御フレームを局側装置１０１へ送信し、通常動作を継続する。
【０１７４】
次に、タイミングｔ１０２において、図１１に示す場合と同様に、局側装置１０１は、スリープ指示を示す制御フレームを、グループＢに属するＯＮＵ３，ＯＮＵ４へユニキャストする。
【０１７５】
ＯＮＵ３，ＯＮＵ４は、局側装置１０１からスリープ指示を受信して、スリープ応答を示す制御フレームを局側装置１０１へ送信し、共通のスリープ期間および共通の起床期間による周期的スリープ動作を開始する。
【０１７６】
次に、ＯＮＵ１，ＯＮＵ３，ＯＮＵ４のスリープ期間中であるタイミングｔ１０３において、局側装置１０１は、たとえば上位ネットワークからＭＣフレームを受信する。局側装置１０１は、当該ＭＣフレームの宛先がＯＮＵ１，ＯＮＵ２であり、ＯＮＵ１が周期的スリープ動作中であり、ＯＮＵ２が周期的スリープ動作を行っていない、すなわち当該宛先において周期的スリープ動作中のＯＮＵの数が所定の閾値未満であることから、起床指示をブロードキャストする必要はないと判断し、起床指示をユニキャストすることを決定する。
【０１７７】
そして、局側装置１０１は、ＯＮＵ１がスリープ状態であることから、当該ＭＣフレームを一時保存し、次の起床期間まで待機する。
【０１７８】
次に、上記起床期間の開始後のタイミングｔ１０４において、局側装置１０１は、起床指示を示す制御フレームをＯＮＵ１へユニキャストする。
【０１７９】
ＯＮＵ１は、局側装置１０１から起床指示を受信して、通常動作へ復帰し、起床応答を示す制御フレームを局側装置１０１へ送信する。
【０１８０】
次に、タイミングｔ１０５において、局側装置１０１は、ＯＮＵ１から起床応答を受信し、ＭＣフレームの送信が可能な状態となる。
【０１８１】
そして、タイミングｔ１０６において、局側装置１０１は、ＭＣフレームをＰＯＮ回線へ送信する。ＯＮＵ１，ＯＮＵ２は、当該ＭＣフレームを受信する。
【０１８２】
図１６は、本発明の第１の実施の形態に係るＰＯＮシステムにおいて、局側装置がマルチキャストフレームを送信する動作の一例を示す図である。図１６の見方および諸条件は図１１と同様である。
【０１８３】
局側装置１０１は、図１５に示す場合と同様に、ＭＣフレームの宛先を参照し、宛先となるＯＮＵの中に周期的スリープ動作中のＯＮＵが存在しないか、または当該宛先において周期的スリープ動作中のＯＮＵの数が所定の閾値未満である場合には、起床指示を示す制御フレームを周期的スリープ動作中のＯＮＵにユニキャストし、当該ＯＮＵを起床させてからＭＣフレームを送信する。ここでは、閾値を２とする。
【０１８４】
具体的には、図１６を参照して、まず、タイミングｔ１１１において、図１１に示す場合と同様に、局側装置１０１は、スリープ指示を示す制御フレームを、グループＡに属するＯＮＵ１，ＯＮＵ２へユニキャストする。
【０１８５】
ＯＮＵ１，ＯＮＵ２は、局側装置１０１からスリープ指示を受信して、スリープ拒否を示す制御フレームを局側装置１０１へ送信し、通常動作を継続する。
【０１８６】
次に、タイミングｔ１１２において、図１１に示す場合と同様に、局側装置１０１は、スリープ指示を示す制御フレームを、グループＢに属するＯＮＵ３，ＯＮＵ４へユニキャストする。
【０１８７】
ＯＮＵ３，ＯＮＵ４は、局側装置１０１からスリープ指示を受信して、スリープ応答を示す制御フレームを局側装置１０１へ送信し、共通のスリープ期間および共通の起床期間による周期的スリープ動作を開始する。
【０１８８】
次に、タイミングｔ１１３において、局側装置１０１は、たとえば上位ネットワークからＭＣフレームを受信する。局側装置１０１は、当該ＭＣフレームの宛先がＯＮＵ１，ＯＮＵ２であり、ＯＮＵ１，ＯＮＵ２が周期的スリープ動作を行っていない、すなわち当該ＭＣフレームの宛先に周期的スリープ動作中のＯＮＵが含まれていないことから、当該ＭＣフレームの送信が可能な状態であり、起床指示をブロードキャストする必要はないと判断する。
【０１８９】
そして、タイミングｔ１１４において、局側装置１０１は、ＭＣフレームをＰＯＮ回線へ送信する。ＯＮＵ１，ＯＮＵ２は、当該ＭＣフレームを受信する。
【０１９０】
なお、局側装置１０１は、配下の各ＯＮＵを３グループ以上に分類する構成であってもよい。たとえば、ＭＣフレームで実現するサービスが映像配信である場合には、チャネルごとにグループを形成し、ＭＣフレームの送信前に、当該ＭＣフレームの対応チャネルを視聴するグループに属するＯＮＵを起床させる。
【０１９１】
また、局側装置１０１は、ＭＣフレームの宛先に応じたＯＮＵ２０２のグループ分けにおいて、互いに重複しないグループが複数存在するようにグループ化を行なう。
【０１９２】
具体的には、局側装置１０１は、たとえばＭＣフレームで実現するサービスが映像配信である場合において、４つのチャネル１〜４が放送される際、チャネル２およびチャネル３を視聴するＯＮＵ２０２が重複している場合には、配下の各ＯＮＵ２０２を、チャネル１からなるグループ、チャネル２およびチャネル３からなるグループ、チャネル４からなるグループに分類する。
【０１９３】
ところで、ＯＮＵが周期的スリープ動作を行なうＰＯＮシステムにおいて、局側装置から宅側装置へマルチキャストフレームを送信する場合、マルチキャストフレームの送信前に、周期的スリープ動作中のＯＮＵをすべて起床させる必要がある。そして、周期的スリープ動作中のＯＮＵが多数存在する場合には、各ＯＮＵを起床させるのに長時間を要し、マルチキャストフレームが送信可能となるまでの遅延時間が増大してしまう。
【０１９４】
これに対して、本発明の第１の実施の形態に係るＰＯＮシステムでは、ＯＮＵ２０２は、スリープ期間および起床期間を繰り返す周期的スリープ動作を行ない、起床期間において起床指示を受けると周期的スリープ動作を停止する。上記起床期間は、ＯＮＵ２０２が、局側装置１０１から送信される下りフレームの受信動作および局側装置１０１へ上りフレームを送信する送信動作を行う期間である。上記スリープ期間として、ＯＮＵ２０２が、受信動作を停止する受信スリープ状態となる期間がある。制御部３６は、各ＯＮＵ２０２の起床期間が一致する共通起床期間が設けられるように各ＯＮＵ２０２を制御する。制御部３６は、局側装置１０１からＯＮＵ２０２へマルチキャストすべき通信信号たとえばフレームが発生すると、各ＯＮＵ２０２が起床指示を共通起床期間において受信するように、起床指示をブロードキャストする。そして、制御部３６は、起床指示をブロードキャストした後、ＯＮＵ２０２へ当該フレームをマルチキャストする。
【０１９５】
このような構成により、局側装置からＯＮＵ２０２へＭＣフレームを送信する際に、局側装置内にＭＣフレームが滞留する時間を低減することができる。すなわち、ＰＯＮシステム３０１において周期的スリープ動作中のＯＮＵ２０２が多数存在する場合でも、各ＯＮＵ２０２を短時間で起床させ、ＭＣフレームが送信可能となるまでの遅延時間の増大を防ぐことができる。
【０１９６】
したがって、本発明の第１の実施の形態に係るＰＯＮシステムでは、宅側装置がスリープ動作を行なうことが可能な通信システムにおいて、宅側装置への通信信号のマルチキャストが可能となるまでの遅延時間を低減することができる。
【０１９７】
また、本発明の第１の実施の形態に係るＰＯＮシステムでは、制御部３６は、マルチキャストすべきフレームの送信先となる可能性の有る１または複数のＯＮＵ２０２からなるグループＡ、および当該可能性の無い１または複数のＯＮＵ２０２からなるグループＢを形成する。制御部３６は、グループＡにおいて共通起床期間が設けられ、グループＢにおいて上記共通の起床期間と重複しない共通起床期間が設けられるように各ＯＮＵ２０２を制御する。そして、制御部３６は、各ＯＮＵ２０２が起床指示をグループＡの共通起床期間において受信するように起床指示をブロードキャストする。
【０１９８】
このような構成により、ＭＣフレームの送信前における起床の必要の有無によってＯＮＵ２０２をグループ分けし、ＯＮＵ２０２を選択的に起床させることができる。これにより、ＯＮＵ２０２の不要な起床を防ぐことができるため、ＯＮＵ２０２の省電力効果を高めることができる。
【０１９９】
また、本発明の第１の実施の形態に係るＰＯＮシステムでは、制御部３６は、マルチキャストすべきフレームの宛先に周期的スリープ動作中のＯＮＵ２０２が含まれる場合に、起床指示をブロードキャストする。
【０２００】
このような構成により、ＭＣフレームの宛先に周期的スリープ動作中のＯＮＵ２０２が含まれていない場合におけるＯＮＵ２０２の不要な起床を防ぐことができるため、単にＭＣフレームの送信前に起床指示をブロードキャストする構成と比べて、ＯＮＵ２０２の省電力効果を高めることができる。
【０２０１】
また、本発明の第１の実施の形態に係るＰＯＮシステムでは、制御部３６は、マルチキャストすべきフレームの宛先において、周期的スリープ動作中のＯＮＵ２０２の数が所定値以上である場合に、起床指示をブロードキャストする。一方、制御部３６は、周期的スリープ動作中のＯＮＵ２０２の数が所定値未満である場合に、周期的スリープ動作中のＯＮＵ２０２へ起床指示をユニキャストする。
【０２０２】
このような構成により、ＭＣフレームの宛先において周期的スリープ動作中のＯＮＵ２０２の数が少ない場合において、起床指示をブロードキャストする代わりにユニキャストすることができるため、ＯＮＵ２０２の不要な起床を防ぎ、ＯＮＵ２０２の省電力効果をさらに高めることができる。
【０２０３】
また、本発明の第１の実施の形態に係るＰＯＮシステムでは、制御部３６は、各ＯＮＵ２０２の起床期間が一致する共通起床期間が設けられるように各ＯＮＵ２０２を制御する。
【０２０４】
このような構成により、各ＯＮＵ２０２への起床指示のブロードキャストが可能となり、ＭＣフレームの送信前における各ＯＮＵ２０２の一斉起床が可能となる。
【０２０５】
また、本発明の第１の実施の形態に係るＰＯＮシステムでは、制御部３６は、局側装置１０１からＯＮＵ２０２へマルチキャストすべきフレームの送信先となる１または複数のＯＮＵ２０２からなるグループを形成する。そして、制御部３６は、形成したグループにおける各ＯＮＵ２０２の起床期間が一致する共通起床期間が設けられるように各ＯＮＵ２０２を制御する。
【０２０６】
このように、ＭＣフレームの送信前における起床が必要なＯＮＵ２０２のグループを形成する構成により、ＯＮＵ２０２を選択的に起床させることができる。これにより、ＯＮＵ２０２の不要な起床を防ぐことができるため、ＯＮＵ２０２の省電力効果を高めることができる。
【０２０７】
また、本発明の第１の実施の形態に係るＰＯＮシステムでは、制御部３６は、互いに重複しないグループが複数存在するように、上記グループ化を行なう。
【０２０８】
このような構成により、ＭＣフレームの送信前に起床させるＯＮＵ２０２のグループを、ＭＣフレームの宛先に応じて適切に形成することができる。
【０２０９】
なお、本発明の第１の実施の形態に係るＰＯＮシステムでは、局側装置１０１は、上位ネットワークから受信したＭＣフレームを送信する前に、各ＯＮＵ２０２を起床させる制御を行なう構成であるとしたが、これに限定するものではない。局側装置１０１は、自ら生成したＭＣフレームを送信する前に、各ＯＮＵ２０２を起床させる制御を行なう構成であってもよい。
【０２１０】
また、本発明の第１の実施の形態に係るＰＯＮシステムでは、局側装置１０１は、各ＯＮＵ２０２の起床期間が一致する共通起床期間が設けられるように各ＯＮＵ２０２を制御する構成であるとしたが、これに限定するものではない。局側装置１０１は、局側装置１０１からブロードキャストまたはマルチキャストされた下りフレームを各ＯＮＵ２０２が各々の所定の起床期間において受信できるように、各ＯＮＵ２０２を制御し、そして、ＯＮＵ２０２へマルチキャストすべき通信信号たとえばフレームが発生すると、各ＯＮＵ２０２が起床指示を上記所定の起床期間において受信するように、起床指示をブロードキャストする構成であればよい。
【０２１１】
あるいは、局側装置１０１は、各ＯＮＵ２０２の所定の起床期間に対応させた局側装置１０１の送信期間が、所定の起床期間の各々の一部または全部について局側装置１０１において重複することとなる重複期間を設ける構成であってもよい。
【０２１２】
このような構成により、各ＯＮＵ２０２が起床指示を受信するための期間を、適切に設けることができる。
【０２１３】
また、本発明の第１の実施の形態に係るＰＯＮシステムでは、局側装置１０１は、たとえば図１１に示す例において、グループＢに属する各ＯＮＵで共通の起床期間を設ける構成であるとしたが、これに限定するものではない。グループＡの起床期間と重複しなければ、グループＢに属する各ＯＮＵで異なる起床期間を設ける構成であってもよい。
【０２１４】
すなわち、局側装置１０１における制御部３６は、グループＡにおいて重複期間として共通の起床期間が設けられ、グループＢにおいて上記共通の起床期間と重複しない起床期間が設けられるように各ＯＮＵを制御する構成であればよい。
【０２１５】
次に、本発明の他の実施の形態について図面を用いて説明する。なお、図中同一または相当部分には同一符号を付してその説明は繰り返さない。
【０２１６】
＜第２の実施の形態＞
本実施の形態は、第１の実施の形態に係るＰＯＮシステムと比べて継続的なＭＣフレームの送信を考慮したＰＯＮシステムに関する。以下で説明する内容以外は第１の実施の形態に係るＰＯＮシステムと同様である。
【０２１７】
図１７は、本発明の第２の実施の形態に係るＰＯＮシステムにおいて、局側装置がマルチキャストフレームを送信する動作手順を示すフローチャートである。
【０２１８】
図１７を参照して、まず、局側装置１０１は、スリープ指示１を示す制御フレームを配下の各ＯＮＵ２０２へ送信し、周期的スリープ動作を行なわせる。このスリープ指示による周期的スリープ動作において、ＯＮＵ２０２は、局側装置１０１から送信される下りフレームの受信動作、および局側装置１０１へ上りフレームを送信する送信動作を停止する（ステップＳ１）。
【０２１９】
次に、局側装置１０１は、上位ネットワークからＭＣフレームを受信すると（ステップＳ２でＹＥＳ）、起床指示を示す制御フレームが各ＯＮＵ２０２の共通の起床期間において各ＯＮＵ２０２に到着するように、当該制御フレームをブロードキャストする（ステップＳ３）。
【０２２０】
次に、局側装置１０１は、配下の各ＯＮＵ２０２からの起床応答をすべて受信すると（ステップＳ４でＹＥＳ）、ＭＣフレームをＰＯＮ回線へ送信する（ステップＳ５）。
【０２２１】
なお、ＭＣフレームの送信前にＯＮＵ２０２を起床させるＯＮＵ起床方法として、本発明の第１の実施の形態に係るＰＯＮシステムが行なう各種方法を採用することが可能である。
【０２２２】
ここで、起床指示をブロードキャストすることによりＯＮＵ２０２を起床させる構成では、ＭＣフレームの宛先ではないＯＮＵ２０２まで起床させてしまう可能性が有る。
【０２２３】
また、たとえばＭＣフレームで実現するサービスが映像配信である場合には、一連のＭＣフレームが一定期間送信され続けることが多い。ＭＣフレームを継続的にＯＮＵ２０２に送信することが分かっている場合、ＭＣフレームを送信するたびに、ＭＣフレームの宛先に含まれないＯＮＵ２０２を起床させるのは、省電力の観点から非効率である。局側装置１０１がＯＮＵ２０２の視聴状態たとえば視聴チャネルを把握可能であれば、あるＭＣフレームの送信後、継続的にＭＣフレームを送信することになるかどうかを予測することが可能である。
【０２２４】
そこで、局側装置１０１は、ＭＣフレームを継続的に送信することが分かっている場合には、スリープ指示２を示す制御フレームを配下の各ＯＮＵ２０２へ送信し、スリープ状態において下りフレームの受信が可能な周期的スリープ動作を配下の各ＯＮＵ２０２に行なわせる。すなわち、局側装置１０１における制御部３６は、ＯＮＵ２０２へマルチキャストすべきフレームが継続的に発生する場合には、起床指示をブロードキャストした後、周期的スリープ動作を再開したＯＮＵ２０２がスリープ状態において受信動作を停止しないようにＯＮＵ２０２を制御する（方法ａ）。
【０２２５】
具体的には、図１７を参照して、局側装置１０１は、ＭＣフレームを送信した（ステップＳ５）後、同じ宛先のＭＣフレームを継続的に送信する予定があるかどうかを確認する（ステップＳ６）。
【０２２６】
局側装置１０１は、同じ宛先のＭＣフレームを継続的に送信する予定がない場合には（ステップＳ６でＮＯ）、スリープ指示１を示す制御フレームを配下の各ＯＮＵ２０２へ送信し、スリープ状態において受信動作および送信動作を停止する周期的スリープ動作を行なわせる（ステップＳ１）。
【０２２７】
一方、局側装置１０１は、同じ宛先のＭＣフレームを継続的に送信する予定がある場合には（ステップＳ６でＹＥＳ）、スリープ指示２を示す制御フレームを配下の各ＯＮＵ２０２へ送信し、周期的スリープ動作を行なわせる。このスリープ指示２による周期的スリープ動作において、ＯＮＵ２０２は、局側装置１０１から送信される下りフレームの受信動作は停止せず、局側装置１０１へ上りフレームを送信する送信動作を停止する（ステップＳ７）。
【０２２８】
なお、局側装置１０１は、ＭＣフレームの到着（ステップＳ２でＹＥＳ）後にＭＣフレームの継続的送信の有無を把握可能であってもよいし、ＭＣフレームの到着（ステップＳ２でＹＥＳ）前にＭＣフレームの継続的送信の有無を把握可能であってもよい。
【０２２９】
また、局側装置１０１は、スリープ指示２を示す制御フレームをマルチキャストしてもよいし、ブロードキャストしてもよい。
【０２３０】
このような方法ａの他に、ＭＣフレームの宛先に含まれないＯＮＵ２０２の起床を回避する方法として、たとえば、以下の方法ｂ，ｃ，ｄが考えられる。
【０２３１】
局側装置１０１は、ＭＣフレームを継続的に送信することが分かっている場合には、ＭＣフレームの宛先となるＯＮＵ２０２には周期的スリープ動作を行なわせない。すなわち、局側装置１０１における制御部３６は、ＯＮＵ２０２へマルチキャストすべきフレームが継続的に発生する場合には、起床指示をブロードキャストした後、マルチキャストすべきフレームの宛先のＯＮＵ２０２に対しては周期的スリープ動作の再開を禁止する。一方、制御部３６は、マルチキャストすべきフレームの宛先でないＯＮＵ２０２に対しては周期的スリープ動作の再開を許容する（方法ｂ）。
【０２３２】
あるいは、局側装置１０１は、ＭＣフレームを継続的に送信することが分かっている場合には、各ＯＮＵ２０２に周期的スリープ動作を行なわせるとともに、ＭＣフレームの宛先となるＯＮＵ２０２にはスリープ状態において下りフレームの受信動作は停止させずに上りフレームの送信動作を停止させ、他のＯＮＵ２０２にはスリープ状態において上記受信動作および上記送信動作を停止させる。すなわち、局側装置１０１における制御部３６は、ＯＮＵ２０２へマルチキャストすべきフレームが継続的に発生する場合には、起床指示をブロードキャストした後、周期的スリープ動作を再開したＯＮＵ２０２のうち、マルチキャストすべきフレームの宛先のＯＮＵ２０２に対してはスリープ状態において上記受信動作を停止しないように制御する。一方、制御部３６は、マルチキャストすべきフレームの宛先でないＯＮＵ２０２に対してはスリープ状態における上記受信動作の停止を許容する（方法ｃ）。
【０２３３】
図１８は、方法ａ，方法ｂ，方法ｃにおいて、ＭＣフレームの送信のためにＯＮＵを起床させた後、ＯＮＵが行なうスリープ動作の内容を示す図である。
【０２３４】
図１８を参照して、方法ａでは、局側装置１０１は、ＭＣフレームの送信前にＯＮＵ２０２を起床させ、当該ＭＣフレームを送信した後、継続的に送信されるＭＣフレームの宛先となるＯＮＵ２０２に対しては、スリープ状態において上りフレームの送信動作を停止する周期的スリープ動作を行なわせ、宛先とならないＯＮＵ２０２に対しても、スリープ状態において上りフレームの送信動作を停止する周期的スリープ動作を行なわせる。
【０２３５】
方法ｂでは、局側装置１０１は、ＭＣフレームの送信前にＯＮＵ２０２を起床させ、当該ＭＣフレームを送信した後、継続的に送信されるＭＣフレームの宛先となるＯＮＵ２０２に対しては、周期的スリープ動作を行なわずに通常動作を行なうように制御し、宛先とならないＯＮＵ２０２に対しては、スリープ状態において下りフレームの受信動作および上りフレームの送信動作を停止する周期的スリープ動作を行なわせる。
【０２３６】
方法ｃでは、局側装置１０１は、ＭＣフレームの送信前にＯＮＵ２０２を起床させ、当該ＭＣフレームを送信した後、継続的に送信されるＭＣフレームの宛先となるＯＮＵ２０２に対しては、スリープ状態において上りフレームの送信動作を停止する周期的スリープ動作を行なわせ、宛先とならないＯＮＵ２０２に対しては、スリープ状態において下りフレームの受信動作および上りフレームの送信動作を停止する周期的スリープ動作を行なわせる。
【０２３７】
あるいは、他の方法として、局側装置１０１は、スリープ状態における動作内容の決定をＯＮＵに委ねるスリープ指示３を示す制御フレームをＯＮＵ２０２へ送信する。ＯＮＵ２０２は、スリープ指示３の受信直前にＭＣフレームを受信していた場合には、スリープ状態において下りフレームの受信動作は停止させずに上りフレームの送信動作を停止させ、スリープ指示３の受信直前にはＭＣフレームを受信していない場合には、スリープ状態において上記受信動作および上記送信動作を停止させる。すなわち、ＯＮＵ２０２における制御部２９は、スリープ指示を受けたタイミングから遡って所定時間以内に、局側装置１０１によってマルチキャストされた自己のＯＮＵ２０２を宛先に含むフレームが自己のＯＮＵ２０２に到着していた場合には、スリープ状態において、光送信処理部２８の動作を停止するとともに光受信処理部２２の動作を継続させる（方法ｄ）。
【０２３８】
図１９は、本発明の第２の実施の形態に係るＰＯＮシステムにおける宅側装置がスリープ動作の内容を決定する際の動作手順を示すフローチャートである。
【０２３９】
図１９を参照して、ＯＮＵ２０２は、スリープ状態における動作内容の決定をＯＮＵに委ねるスリープ指示３を局側装置１０１から受信すると（ステップＳ１１でＹＥＳ）、スリープ指示３を受信したタイミングの直前に自己宛のＭＣフレームを受信していたかどうかを確認し、受信していた場合には（ステップＳ１２でＹＥＳ）、スリープ状態において下りフレームの受信動作を継続し、上りフレームの送信動作を停止する周期的スリープ動作を行なう（ステップＳ１３）。
【０２４０】
一方、ＯＮＵ２０２は、当該スリープ指示を受信したタイミングの直前には自己宛のＭＣフレームを受信していなかった場合には（ステップＳ１２でＮＯ）、スリープ状態において下りフレームの受信動作および上りフレームの送信動作を停止する周期的スリープ動作を行なう（ステップＳ１４）。
【０２４１】
方法ｂ，方法ｃ，方法ｄでは、ＭＣフレームの宛先であるか否かによってスリープ状態における動作内容を変更する。
【０２４２】
これにより、ＭＣフレームの宛先でないＯＮＵ２０２は、継続して送信される一連のＭＣフレーム群において、最初のＭＣフレームが局側装置１０１において受信された際にブロードキャストされた起床指示によって起床しても、その後は、スリープ状態において少なくとも上りフレームの送信動作を停止する周期的スリープ動作を行なうことができる。
【０２４３】
なお、本発明の第１の実施の形態に係るＰＯＮシステムが行なう各種ＯＮＵ起床方法と本発明の第２の実施の形態に係るＰＯＮシステムにおける方法ａ〜方法ｄとの組み合わせは自由であり、局側装置１０１は、ＰＯＮシステム３０１の運用中に各種状況に応じて上記組み合わせを変更してもよい。
【０２４４】
以上のように、本発明の第２の実施の形態に係るＰＯＮシステムでは、スリープ期間として、さらに、局側装置１０１から送信される下りフレームの受信動作は停止せず、局側装置１０１へ上りフレームを送信する送信動作を停止する送信スリープ状態となる期間がある。制御部３６は、ＯＮＵ２０２へマルチキャストすべきフレームが継続的に発生する場合には、起床指示をブロードキャストした後、周期的スリープ動作を再開したＯＮＵ２０２がスリープ期間において送信スリープ状態となるようにＯＮＵ２０２を制御する。
【０２４５】
このように、ＭＣフレームの発生状況に基づいてスリープ状態におけるＯＮＵ２０２の受信動作を継続させる構成により、起床させる必要のないＯＮＵ２０２の不要な起床がＭＣフレーム発生のたびに生じることを防ぐことができるため、ＯＮＵ２０２の省電力効果をさらに高めることができる。
【０２４６】
また、本発明の第２の実施の形態に係るＰＯＮシステムでは、スリープ期間として、さらに、ＯＮＵ２０２が、局側装置１０１から送信される下りフレームの受信動作および局側装置１０１へ上りフレームを送信する送信動作を停止する送受信スリープ状態となる期間と、局側装置１０１から送信される下りフレームの受信動作は停止せず、局側装置１０１へ上りフレームを送信する送信動作を停止する送信スリープ状態となる期間とがある。制御部３６は、ＯＮＵ２０２へマルチキャストすべきフレームが継続的に発生する場合には、起床指示をブロードキャストした後、周期的スリープ動作を再開したＯＮＵ２０２のうち、マルチキャストすべきフレームの宛先のＯＮＵ２０２に対してはスリープ期間において送信スリープ状態となるように制御する。一方、制御部３６は、マルチキャストすべきフレームの宛先でないＯＮＵ２０２に対してはスリープ期間において送受信スリープ状態となるように制御する。
【０２４７】
このように、ＭＣフレームの宛先であるか否かに応じてスリープ状態におけるＯＮＵ２０２の受信動作の継続の有無を設定する構成により、単に各ＯＮＵ２０２のスリープ状態における受信動作を継続させる構成と比べて、ＯＮＵ２０２の省電力効果をさらに高めることができる。
【０２４８】
また、本発明の第２の実施の形態に係るＰＯＮシステムでは、制御部３６は、ＯＮＵ２０２へマルチキャストすべきフレームが継続的に発生する場合には、起床指示をブロードキャストした後、マルチキャストすべきフレームの宛先のＯＮＵ２０２に対しては周期的スリープ動作の再開を禁止する。一方、制御部３６は、マルチキャストすべきフレームの宛先でないＯＮＵ２０２に対しては周期的スリープ動作の再開を許容する。
【０２４９】
このように、ＭＣフレームの宛先であるか否かに応じてＯＮＵ２０２の周期的スリープ動作の有無を設定する構成により、ＯＮＵ２０２の省電力効果をさらに高めることができる。
【０２５０】
また、本発明の第２の実施の形態に係る宅側装置は、スリープ期間および起床期間を繰り返す周期的スリープ動作を行ない、起床期間において起床指示を受けると周期的スリープ動作を停止する。上記起床期間は、ＯＮＵ２０２が、局側装置１０１から送信される下りフレームの受信動作および局側装置１０１へ上りフレームを送信する送信動作を行う期間である。上記スリープ期間として、ＯＮＵ２０２が、受信動作および送信動作を停止する送受信スリープ状態となる期間と、受信動作は停止せず、送信動作を停止する送信スリープ状態となる期間とがある。制御部２９は、スリープ指示を受けたタイミングから遡って所定時間以内に、局側装置１０１によってマルチキャストされた自己のＯＮＵ２０２を宛先に含むフレームが自己のＯＮＵ２０２に到着していた場合には、スリープ期間において送信スリープ状態となるようにＯＮＵ２０２を制御する、すなわちスリープ状態において光受信処理部２２の動作を継続させる。
【０２５１】
このように、ＭＣフレームの受信状況に応じてスリープ状態におけるＯＮＵ２０２の受信動作の継続の有無を設定する構成により、局側装置１０１において起床指示のブロードキャスト等を行なうことなく、ＯＮＵ２０２においてＭＣフレームを受信するとともに、省電力効果を高めることができる。すなわち、宅側装置がスリープ動作を行なうことが可能な通信システムにおいて、宅側装置への通信信号のマルチキャストが可能となるまでの遅延時間を低減することができる。
【０２５２】
その他の構成および動作は第１の実施の形態に係るＰＯＮシステムと同様であるため、ここでは詳細な説明を繰り返さない。
【０２５３】
本発明の第１の実施の形態および第２の実施の形態に係るＰＯＮシステムでは、局側装置２０１における制御部３６が、ＯＮＵ２０２に対するスリープ制御を行なう。
【０２５４】
しかしながら、ＰＯＮシステム３０１は、このような構成に限定されるものではない。すなわち、局側装置２０１の代わりに、ＰＯＮシステム３０１における局側装置１０１およびＯＮＵ２０２以外の他の装置が、ＯＮＵ２０２に対するスリープ制御を行なう構成であってもよい。
【０２５５】
この場合、ＰＯＮシステム３０１は、スリープ制御部と、起床制御部と、分類部とを備える。
【０２５６】
起床制御部は、局側装置１０１からＯＮＵ２０２へマルチキャストすべきフレームが発生すると、各ＯＮＵ２０２が起床指示を前述の重複期間において受信するように、起床指示をブロードキャストする。局側装置１０１は、起床制御部によって起床指示がブロードキャストされた後、ＯＮＵ２０２へフレームをマルチキャストする。
【０２５７】
また、分類部は、マルチキャストすべきフレームの送信先となる可能性の有る１または複数のＯＮＵ２０２からなる第１のグループ、および可能性の無い１または複数のＯＮＵ２０２からなる第２のグループを形成する。スリープ制御部は、第１のグループにおいて重複期間として共通の起床期間が設けられ、第２のグループにおいて上記共通の起床期間と重複しない起床期間が設けられるように各ＯＮＵ２０２を制御する。そして、起床制御部は、起床指示が上記共通の起床期間において各ＯＮＵ２０２に到着するように起床指示をブロードキャストする。
【０２５８】
このように局側装置以外の装置が起床指示をブロードキャストする構成では、ＭＣフレームが局側装置に到着した後に各ＯＮＵの起床制御を行なう構成に限らず、ＯＮＵへのＭＣフレームが上位ネットワーク側で発生した時点で各ＯＮＵの起床制御を行なうことも可能である。
【０２５９】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０２６０】
２１  ＰＯＮポート
２２  光受信処理部
２３  バッファメモリ
２４  送信処理部
２５  ＵＮＩポート
２６  受信処理部
２７  バッファメモリ
２８  光送信処理部
２９  制御部（スリープ制御部）
３１  アップリンクＩＦ部
３３  受信処理部
３４  送信処理部
３５  ＰＯＮ送受信部
３６  制御部（スリープ制御部、起床制御部および分類部）
３７，３８  ＦＩＦＯ
１０１  局側装置
２０２，２０２Ａ，２０２Ｂ，２０２Ｃ，２０２Ｄ  宅側装置
３０１  ＰＯＮシステム
ＳＰ１，ＳＰ２  スプリッタ
ＯＰＴＦ  光ファイバ
【図１】
2013123103.tif 000003
【図２】
2013123103.tif 000004
【図３】
2013123103.tif 000005
【図４】
2013123103.tif 000006
【図５】
2013123103.tif 000007
【図６】
2013123103.tif 000008
【図７】
2013123103.tif 000009
【図８】
2013123103.tif 000010
【図９】
2013123103.tif 000011
【図１０】
2013123103.tif 000012
【図１１】
2013123103.tif 000013
【図１２】
2013123103.tif 000014
【図１３】
2013123103.tif 000015
【図１４】
2013123103.tif 000016
【図１５】
2013123103.tif 000017
【図１６】
2013123103.tif 000018
【図１７】
2013123103.tif 000019
【図１８】
2013123103.tif 000020
【図１９】
2013123103.tif 000021